(57)【要約】  ＯＦＤＭ受信装置Ａは有効シンボル区間の信号を直交変換し、直交変換の結果を出力する第１直交変換部Ａ１と、ガードインターバル区間の信号を直交変換し、直交変換の結果を出力する第２直交変換部Ａ２と、第１直交変換部Ａ１の出力信号と第２直交変換部Ａ２の出力信号とに基づいてＯＦＤＭシンボルの広帯域キャリア周波数誤差量を検出する検出部Ａ３と、検出部Ａ３により検出された広帯域キャリア周波数誤差量に基づいてＯＦＤＭシンボルの広帯域キャリア周波数のずれの補正を実施する補正部と、を備える。
2012060051.tif 000002
【特許請求の範囲】
【請求項１】
有効シンボル区間の信号と、当該有効シンボル区間の信号に基づくガードインターバル区間の信号とから構成されたＯＦＤＭシンボルを受信するＯＦＤＭ受信装置であって、
前記有効シンボル区間の信号を直交変換し、直交変換の結果を出力する第１直交変換部と、
前記ガードインターバル区間の信号を直交変換し、直交変換の結果を出力する第２直交変換部と、
前記第１直交変換部の出力信号と前記第２直交変換部の出力信号とに基づいて前記ＯＦＤＭシンボルの広帯域キャリア周波数誤差量を検出する検出部と、
前記検出部により検出された広帯域キャリア周波数誤差量に基づいて前記ＯＦＤＭシンボルの広帯域キャリア周波数のずれの補正を実施する補正部と、
を備えるＯＦＤＭ受信装置。
【請求項２】
前記ガードインターバル区間の信号は、前記有効シンボル区間の信号を周波数シフトしたものである
請求項１記載のＯＦＤＭ受信装置。
【請求項３】
前記第２直交変換部の入力信号又は前記第２直交変換部の出力信号に対して前記周波数シフトを相殺する逆方向の周波数シフトの実施に係る補正処理を前記第２直交変換部の前段又は後段において実施し、補正処理の結果を出力する周波数シフト補正部
を更に備え、
前記検出部は、前記広帯域キャリア周波数のずれの補正を、前記第１直交変換部の出力信号と、前記周波数シフト補正部の出力信号を直交変換して得られた前記第２直交変換部の出力信号又は前記周波数シフト補正部の出力信号と、に基づいて行う
請求項２記載のＯＦＤＭ受信装置。
【請求項４】
前記ＯＦＤＭシンボルは、ＤＶＢ−Ｔ２伝送方式におけるＰ１シンボルであり、
前記ガードインターバル区間は、前記有効シンボル区間より手前の前ガードインターバル区間と、前記有効シンボル区間より後ろの後ガードインターバル区間とからなり、
前記第２直交変換部は、前記直交変換を、前記前ガードインターバル区間の信号と前記後ガードインターバル区間の信号とを結合した信号を用いて行う
請求項１記載のＯＦＤＭ受信装置。
【請求項５】
前記ＯＦＤＭシンボルを構成する複数のサブキャリアは、複数のＡｃｔｉｖｅキャリアと複数のＮｕｌｌキャリアとで構成されており、
前記複数のＡｃｔｉｖｅキャリアの各々が配置されるサブキャリア位置は、所定の配置パターンによって規定されており、
前記検出部は、
前記第１直交変換部の出力信号と前記第２直交変換部の出力信号とに基づく信号の連続する複数のサブキャリアにおいて前記配置パターンで規定された複数のＡｃｔｉｖｅキャリアの位置に対応するサブキャリアでの当該信号の値を加算する加算処理を、前記連続する複数のサブキャリアを所定の範囲内でサブキャリア方向に１サブキャリア単位で順次シフトしながら実施し、加算処理の結果に基づいて、前記広帯域キャリア周波数誤差量を検出する
請求項１記載のＯＦＤＭ受信装置。
【請求項６】
前記検出部は、
前記第１直交変換部の出力信号と前記第２直交変換部の出力信号との複素乗算をサブキャリア毎に実施する複素乗算部と、
連続する複数のサブキャリアにおいて前記配置パターンで規定された複数のＡｃｔｉｖｅキャリアの位置に対応するサブキャリアでの複素乗算値を加算する加算処理を、前記連続する複数のサブキャリアを所定の範囲内でサブキャリア方向に１サブキャリア単位で順次シフトしながら実施して加算処理の結果を出力する加算処理部と、
前記加算処理部の各出力信号の電力を算出し、算出結果を出力する電力算出部と、
前記電力算出部の各出力信号の中から最大値を検出することによって前記広帯域キャリア周波数誤差量を検出する最大値検出部と、
を備える請求項５記載のＯＦＤＭ受信装置。
【請求項７】
前記検出部は、
前記第１直交変換部の出力信号の電力をサブキャリア毎に算出し、算出結果を出力する第１電力算出部と、
前記第２直交変換部の出力信号の電力をサブキャリア毎に算出し、算出結果を出力する第２電力算出部と、
前記第１電力算出部の出力信号と前記第２電力算出部の出力信号との乗算をサブキャリア毎に実施する乗算部と、
連続する複数のサブキャリアにおいて前記配置パターンで規定された複数のＡｃｔｉｖｅキャリアの位置に対応するサブキャリアでの乗算値を加算する加算処理を、前記連続する複数のサブキャリアを所定の範囲内でサブキャリア方向に１サブキャリア単位で順次シフトしながら実施して加算処理の結果を出力する加算処理部と、
前記加算処理部の各出力信号の中から最大値を検出することによって前記広帯域キャリア周波数誤差量を検出する最大値検出部と、
を備える請求項５記載のＯＦＤＭ受信装置。
【請求項８】
前記検出部は、
前記第１直交変換部の出力信号の振幅をサブキャリア毎に算出し、算出結果を出力する第１振幅算出部と、
前記第２直交変換部の出力信号の振幅をサブキャリア毎に算出し、算出結果を出力する第２振幅算出部と、
前記第１振幅算出部の出力信号と前記第２振幅算出部の出力信号との乗算をサブキャリア毎に実施する乗算部と、
連続する複数のサブキャリアにおいて前記配置パターンで規定された複数のＡｃｔｉｖｅキャリアの位置に対応するサブキャリアでの乗算値を加算する加算処理を、前記連続する複数のサブキャリアを所定の範囲内でサブキャリア方向に１サブキャリア単位で順次シフトしながら実施して加算処理の結果を出力する加算処理部と、
前記加算処理部の各出力信号の中から最大値を検出することによって前記広帯域キャリア周波数誤差量を検出する最大値検出部と、
を備える請求項５記載のＯＦＤＭ受信装置。
【請求項９】
前記ＯＦＤＭシンボルを構成する複数のサブキャリアは、複数のＡｃｔｉｖｅキャリアと複数のＮｕｌｌキャリアとで構成されており、
前記複数のＡｃｔｉｖｅキャリアの各々が配置されるサブキャリア位置は、所定の配置パターンによって規定されており、
前記検出部は、
前記第１直交変換部の出力信号と前記第２直交変換部の出力信号との双方を用いて広帯域キャリア周波数誤差量の第１候補を検出し、前記第１候補の信頼度を検出する第１検出処理、
前記第１直交変換部の出力信号及び前記第２直交変換部の出力信号のうちの前記第１直交変換部の出力信号のみを用いて広帯域キャリア周波数誤差量の第２候補を検出し、前記第２候補の信頼度を検出する第２検出処理、及び、
前記第１直交変換部の出力信号及び前記第２直交変換部の出力信号のうちの前記第２直交変換部の出力信号のみを用いて広帯域キャリア周波数誤差量の第３候補を検出し、前記第３候補の信頼度を検出する第３検出処理、の少なくとも２つを実施し、
信頼度が最も高い広帯域キャリア周波数誤差量の候補を前記補正部が用いる前記広帯域キャリア周波数誤差量として選択する
請求項１記載のＯＦＤＭ受信装置。
【請求項１０】
前記検出部は、
前記第１検出処理を、
前記第１直交変換部の出力信号と前記第２直交変換部の出力信号とに基づく第１信号の連続する複数のサブキャリアにおいて前記配置パターンで規定された複数のＡｃｔｉｖｅキャリアの位置に対応するサブキャリアでの当該第１信号の値を加算する加算処理を、前記連続する複数のサブキャリアを所定の範囲内でサブキャリア方向に１サブキャリア単位で順次シフトしながら実施し、加算処理の結果に基づいて前記広帯域キャリア周波数誤差量の第１候補及び前記第１候補の信頼度を検出することによって実施し、
前記第２検出処理を、
前記第１直交変換部の出力信号に基づく第２信号の連続する複数のサブキャリアにおいて前記配置パターンで規定された複数のＡｃｔｉｖｅキャリアの位置に対応するサブキャリアでの当該第２信号の値を加算する加算処理を、前記連続する複数のサブキャリアを所定の範囲内でサブキャリア方向に１サブキャリア単位で順次シフトしながら実施し、加算処理の結果に基づいて前記広帯域キャリア周波数誤差量の第２候補及び前記第２候補の信頼度を検出することによって実施し、
前記第３検出処理を、
前記第２直交変換部の出力信号に基づく第３信号の連続する複数のサブキャリアにおいて前記配置パターンで規定された複数のＡｃｔｉｖｅキャリアの位置に対応するサブキャリアでの当該第３信号の値を加算する加算処理を、前記連続する複数のサブキャリアを所定の範囲内でサブキャリア方向に１サブキャリア単位で順次シフトしながら実施し、加算処理の結果に基づいて前記広帯域キャリア周波数誤差量の第３候補及び前記第３候補の信頼度を検出することによって実施する
請求項９記載のＯＦＤＭ受信装置。
【請求項１１】
前記第１から第３の各信頼度は前記加算処理の結果の最大値を２番目に大きい値で除算した値であって値が大きい程信頼度が高い、又は、前記第１から第３の各信頼度は前記加算処理の結果の最大値で２番目に大きい値を除算した値であって値が小さい程信頼度が高い
請求項１０記載のＯＦＤＭ受信装置。
【請求項１２】
前記第１から第３の各信頼度は前記加算処理の結果の最大値であって値が大きい程信頼度が高い
請求項１０記載のＯＦＤＭ受信装置。
【請求項１３】
前記第１から第３の各信頼度は前記加算処理の結果の最大値と２番目に大きい値との差であって値が大きい程信頼度が高い
請求項１０記載のＯＦＤＭ受信装置。
【請求項１４】
検出された前記各候補の信頼度に基づいて、前記有効シンボル区間の信号と前記ガードインターバル区間の信号の一方を選択し、選択した信号を前記補正部へ出力する選択部を更に備え、
前記補正部は、前記選択部から入力された信号に対して前記広帯域キャリア周波数ずれの補正を実施する
請求項１０記載のＯＦＤＭ受信装置。
【請求項１５】
有効シンボル区間の信号と、当該有効シンボル区間の信号に基づくガードインターバル区間の信号とから構成されたＯＦＤＭシンボルを受信するＯＦＤＭ受信回路であって、
前記有効シンボル区間の信号を直交変換し、直交変換の結果を出力する第１直交変換回路と、
前記ガードインターバル区間の信号を直交変換し、直交変換の結果を出力する第２直交変換回路と、
前記第１直交変換回路の出力信号と前記第２直交変換回路の出力信号とに基づいて前記ＯＦＤＭシンボルの広帯域キャリア周波数誤差量を検出する検出回路と、
前記検出回路により検出された広帯域キャリア周波数誤差量に基づいて前記ＯＦＤＭシンボルの広帯域キャリア周波数のずれの補正を実施する補正回路と、
を備えるＯＦＤＭ受信回路。
【請求項１６】
有効シンボル区間の信号と、当該有効シンボル区間の信号に基づくガードインターバル区間の信号とから構成されたＯＦＤＭシンボルを受信するＯＦＤＭ受信装置において行われるＯＦＤＭ受信方法であって、
前記有効シンボル区間の信号を直交変換する第１直交変換ステップと、
前記ガードインターバル区間の信号を直交変換する第２直交変換ステップと、
前記第１直交変換ステップでの直交変換の結果と前記第２直交変換ステップでの直交変換の結果とに基づいて前記ＯＦＤＭシンボルの広帯域キャリア周波数誤差量を検出する検出ステップと、
前記検出ステップで検出された広帯域キャリア周波数誤差量に基づいて前記ＯＦＤＭシンボルの広帯域キャリア周波数のずれの補正を実施する補正ステップと、
を備えるＯＦＤＭ受信方法。
【請求項１７】
有効シンボル区間の信号と、当該有効シンボル区間の信号に基づくガードインターバル区間の信号とから構成されたＯＦＤＭシンボルを受信するＯＦＤＭ受信装置に、
前記有効シンボル区間の信号を直交変換する第１直交変換ステップと、
前記ガードインターバル区間の信号を直交変換する第２直交変換ステップと、
前記第１直交変換ステップでの直交変換の結果と前記第２直交変換ステップでの直交変換の結果とに基づいて前記ＯＦＤＭシンボルの広帯域キャリア周波数誤差量を検出する検出ステップと、
前記検出ステップで検出された広帯域キャリア周波数誤差量に基づいて前記ＯＦＤＭシンボルの広帯域キャリア周波数のずれの補正を実施する補正ステップと、
を実行させるＯＦＤＭ受信プログラム。
【発明の詳細な説明】
【技術分野】
【０００１】
本発明は、互いに直交する複数のサブキャリアを多重して送信された信号を受信する技術に関する。
【背景技術】
【０００２】
現在、地上デジタル放送をはじめＩＥＥＥ８０２．１１ａといった様々なデジタル通信において、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が伝送方式として広く採用されている。ＯＦＤＭ方式は、複数の狭帯域デジタル変調信号を互いに直交する複数のサブキャリアを用いて周波数多重して送信する方式であることから、周波数の利用効率に優れた伝送方式である。【０００３】
また、ＯＦＤＭ方式では、１シンボル区間が有効シンボル区間とガードインターバル区間とからなり、シンボル内で周期性を有するように有効シンボル区間の一部の信号がガードインターバル区間に複写して挿入されている。このため、マルチパス干渉によって生じるシンボル間の干渉の影響を削減することが可能であり、マルチパス干渉に対しても優れた耐性を有している。【０００４】
近年、各国でアナログテレビ放送が停止され、世界的に周波数再編の動きが活発化しており、欧州では、ＤＶＢ−Ｔ（Ｄｉｇｉｔａｌ  Ｖｉｄｅｏ  Ｂｒｏａｄｃａｓｔｉｎｇ  −  Ｔｅｒｒｅｓｔｒｉａｌ）によるＳＤ（Ｓｔａｎｄａｒｄ  Ｄｅｆｉｎｉｔｉｏｎ）放送に加え、ＨＤ（Ｈｉｇｈ  Ｄｅｆｉｎｉｔｉｏｎ）サービスに対する需要が高まっている。これらのことから、第二世代の欧州地上デジタル放送であるＤＶＢ−Ｔ２の規格化が進められてきた。ＤＶＢ−Ｔ２方式では、図２７に示すような、ＤＶＢ−Ｔ２フレームが用いられ、ＤＶＢ−Ｔ２フレームは、Ｐ１シンボルとＰ２シンボルとデータシンボルとで構成されている。【０００５】
まず、Ｐ１シンボルについて説明する。【０００６】
Ｐ１シンボルは、ＦＦＴ（Ｆａｓｔ  Ｆｏｕｒｉｅｒ  Ｔｒａｎｓｆｏｒｍ）サイズが１ｋ（＝１０２４）で設定されており、図２８に示すように、有効シンボル区間の前後にガードインターバル区間が設けられている。なお、図２８は、Ｐ１シンボルを時間軸で表したものである。Ｐ１シンボルのガードインターバルは、これまでのＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）やＤＶＢ−Ｔにおけるガードインターバルと異なる。Ｐ１シンボルでは、有効シンボル区間より手前のガードインターバル区間（以下、「前ガードインターバル区間」と言う。）には、有効シンボル区間内の前半の５９μｓ分の信号が複写して挿入され、有効シンボル区間より後ろのガードインターバル区間（以下、「後ガードインターバル区間」と言う。）には、有効シンボル区間内の後半の５３μｓ分の信号が複写して挿入される。さらに、複写して挿入する際には、複写元の信号を所定のｆＳＨ分だけ周波数シフトさせてガードインターバル区間（前ガードインターバル区間、又は、後ガードインターバル区間）に挿入する。ここで、ｆＳＨは、Ｐ１シンボルの１サブキャリア間隔に相当する。つまり、前ガードインターバル区間の信号及び後ガードインターバル区間の信号は、有効シンボル区間の信号よりＰ１シンボルの１サブキャリア分周波数が高くなっている。なお、Ｐ１シンボルでは、図２８に示すように、有効シンボル全体がガードインターバルに利用されている。【０００７】
また、Ｐ１シンボルは、図２９に示すように、ＡｃｔｉｖｅキャリアとＮｕｌｌキャリア（Ｕｎｕｓｅｄキャリア）とで構成されている。なお、図２９は、Ｐ１シンボルを周波数軸で表したものである。【０００８】
Ｐ１シンボルには、Ｐ２シンボルやデータシンボルの送信フォーマットがＭＩＳＯ（Ｍｕｌｔｉｐｌｅ−Ｉｎｐｕｔ−Ｓｉｎｇｌｅ−Ｏｕｔｐｕｔ）であるかＳＩＳＯ（Ｓｉｎｇｌｅ−Ｉｎｐｕｔ−Ｓｉｎｇｌｅ−Ｏｕｔｐｕｔ）であるかに関する情報（以下、「ＭＩＳＯ／ＳＩＳＯ情報」と言う。）、Ｐ２シンボルやデータシンボルのＦＦＴサイズが何であるかに関する情報（以下、「ＦＦＴサイズ情報」と言う。）、ＦＥＦ（Ｆｕｔｕｒｅ  Ｅｘｔｅｎｓｉｏｎ  Ｆｒａｍｅｓ）が含まれるか否かに関する情報（以下、「ＦＥＦ有無情報」と言う。）、等の情報（以下、「Ｐ１送信情報」と言う。）が含まれる。ここで、ＦＥＦとは、将来のＤＶＢ−Ｔ２とは異なるサービス伝送のための期間であり、ＤＶＢ−Ｔ２フレームとＤＶＢ−Ｔ２フレームとの間に挿入され、ＦＥＦフレームの先頭にもＰ１シンボルが存在する。【０００９】
以下、Ｐ１シンボルの生成について説明する。【００１０】
図３０は、Ｐ１シンボルを生成するＰ１生成部１０００の構成図である。Ｐ１シンボル生成部１０００は、系列変換部１００１と、差動変調部１００２と、スクランブル部１００３と、ＣＤＳテーブル生成部１００４と、パディング部１００５と、ＩＦＦＴ部１００６と、ＧＩ付加部１００７とを備える。【００１１】
上述したように、Ｐ１シンボルによってＰ１送信情報が送信される。これらの情報は、３ビットのＳ１信号と４ビットのＳ２信号として表される。系列変換部１００１に３ビットのＳ１信号と４ビットのＳ２信号とが入力される。系列変換部１００１は、例えば、図３１に示す変換テーブルを保持し、変換テーブルを用いて３ビットのＳ１信号を下記の（数１）で表される６４ビットの系列ＣＳＳＳ１に変換し、４ビットのＳ２信号を下記の（数２）で表される２５６ビットの系列ＣＳＳＳ２に変換する。但し、図３１中の「値」が系列変換部１００１に入力される値、「系列（１６進表示）  ＣＳＳＳ１及びＣＳＳＳ２」が変換後の系列（系列変換部１００１から出力される系列）を表す。なお、図３１では、便宜上、変換後の系列ＣＳＳＳ１，ＣＳＳＳ２は１６進数で表示されている。【００１２】
【数１】
2012060051.tif 000003
【００１３】
【数２】
2012060051.tif 000004
【００１４】
そして、系列変換部１００１は、（数１）で表される系列ＣＳＳＳ１と（数２）で表される系列ＣＳＳＳ２とを用いて、下記の（数３）に示す計３８４ビットの信号系列ＭＳＳ＿ＳＥＱを構成し、信号系列ＭＳＳ＿ＳＥＱを差動変調部１００２へ出力する。なお、信号系列ＭＳＳ＿ＳＥＱには同一内容のＳ１信号が２つ含まれる。【００１５】
【数３】
2012060051.tif 000005
【００１６】
差動変調部１００２は、系列変換部１００１から入力された信号系列ＭＳＳ＿ＳＥＱに対して、下記の（数４）に示す差動変調を実施し、差動変調された信号系列ＭＳＳ＿ＤＩＦＦをスクランブル部１００３へ出力する。但し、差動変調部１００２が実施する差動変調はＤＢＰＳＫ（Ｄｉｆｆｅｒｅｎｔｉａｌ  Ｂｉｎａｒｙ  Ｐｈａｓｅ  Ｓｈｉｆｔ  Ｋｅｙｉｎｇ）である。【００１７】
【数４】
2012060051.tif 000006
【００１８】
具体的には、差動変調部１００２は、下記の（数５）に示すように基準信号ＭＳＳ＿ＤＩＦＦ−１を１として、系列変換部１００１から入力された信号系列ＭＳＳ＿ＳＥＱを構成する信号ＭＳＳ＿ＳＥＱｉ（ｉ＝０，１，・・・，３８３）に対して下記の（数６）を基に差動変調を実施し、差動変調された信号ＭＳＳ＿ＤＩＦＦｉをスクランブル部１００３へ出力する。【００１９】
【数５】
2012060051.tif 000007
【００２０】
【数６】
2012060051.tif 000008
【００２１】
スクランブル部１００３は、差動変調部１００２からの差動変調された信号系列ＭＳＳ＿ＤＩＦＦに対し、下記の（数７）に示すスクランブルを実施し、スクランブルされた信号系列ＭＳＳ＿ＳＣＲをパディング部１００５へ出力する。【００２２】
【数７】
2012060051.tif 000009
【００２３】
具体的には、スクランブル部１００３は、疑似ランダムバイナリシーケンス（Ｐｓｅｕｄｏｒａｎｄｏｍ  Ｂｉｎａｒｙ  Ｓｅｑｕｅｎｃｅ：ＰＲＢＳ）に基づく信号ＰＲＢＳｉ（ｉ＝０，１，・・・，３８３）を用いて、差動変調された信号ＭＳＳ＿ＤＩＦＦｉに対し、下記の（数８）に示すスクランブルを実施し、スクランブルされた信号ＭＳＳ＿ＳＣＲｉをパディング部１００５へ出力する。【００２４】
【数８】
2012060051.tif 000010
【００２５】
ＣＤＳテーブル生成部１００４は、図３２に示す、Ｐ１シンボルにおけるＡｃｔｉｖｅキャリアの位置ｋ（ｉ）（ｉ＝０，１，・・・，３８３）を示すＣＤＳ（Ｃａｒｒｉｅｒ  Ｄｉｓｔｒｉｂｕｔｉｏｎ  Ｓｅｑｕｅｎｃｅ）テーブルを生成する。なお、図３２に示す通り、１つのＰ１シンボルでは、同一内容のＳ１信号が周波数領域の高い部分と低い部分との２箇所で送信され、Ｓ２信号が周波数領域の中央部分で送信される。【００２６】
パディング部１００５は、ＣＤＳテーブル生成部１００４のＣＤＳテーブル（図３２参照）で示されるサブキャリア位置ｋ（ｉ）のサブキャリアをＡｃｔｉｖｅキャリアとし、サブキャリア位置ｋ（ｉ）のサブキャリアに対してスクランブルされた信号ＭＳＳ＿ＳＣＲｉをマッピングしてＩＦＦＴ部１００６へ出力する。また、パディング部１００５は、図３２に列挙されていないサブキャリア位置のサブキャリアはＮｕｌｌキャリアとして、ＩＦＦＴ部１００６へ出力する。【００２７】
ＩＦＦＴ部１００６は、パディング部１００５の出力信号に対して、ＦＦＴサイズ１ｋでＩＦＦＴ（Ｉｎｖｅｒｓｅ  Ｆａｓｔ  Ｆｏｕｒｉｅｒ  Ｔｒａｎｓｆｏｒｍ）を実施し、ＩＦＦＴの結果（図２８の有効シンボル区間の時間領域の信号）をＧＩ付加部１００７へ出力する。【００２８】
ＧＩ付加部１００７は、ＩＦＦＴ部１００６から入力された有効シンボル区間の信号を用いて、前ガードインターバル区間に有効シンボル区間内の前部分の信号をｆＳＨ分だけ周波数シフトした上で挿入し、後ガードインターバル区間に有効シンボル区間内の後ろ部分の信号をｆＳＨ分だけ周波数シフトした上で挿入する（図２８参照）。このようにして、Ｐ１シンボルが生成される。【００２９】
続いて、Ｐ２シンボルとデータシンボルについて説明する。【００３０】
Ｐ２シンボルとデータシンボルには、共通のＦＦＴサイズ及びガードインターバル比（有効シンボル区間の時間幅に対するガードインターバル区間の時間幅の比）が用いられる。但し、Ｐ２シンボル及びデータシンボルにおけるガードインターバル区間は、ＤＶＢ−ＴやＩＳＤＢ−Ｔと同じく、有効シンボル区間より手前に設けられている。有効シンボル区間の手前に設けられたガードインターバル区間には、有効シンボル区間内の後ろ部分の信号が複写されて挿入される。【００３１】
ＤＶＢ−Ｔ２で用いられるＦＦＴサイズとガードインターバル比との組合せ、及びそれらの組合せで設定可能なパイロットパターンを図３３に示す。パイロットパターンとして、ＰＰ１からＰＰ８までの８種類がある。図３３において、「ＮＡ」という記載は、規格上設定不可のＦＦＴサイズとガードインターバル比との組合せを示している。【００３２】
Ｐ２シンボルでは、等間隔のパイロット（以下、「Ｐ２パイロット」と言う）が挿入されている。ＦＦＴサイズが３２ｋで、ＳＩＳＯモードである場合には、６サブキャリア毎にＰ２パイロットが存在し、それ以外では３サブキャリア毎にＰ２パイロットが存在する。【００３３】
Ｐ２シンボルには、データシンボルのパイロットパターンが何であるかに関する情報（以下、「パイロットパターン情報」と言う。）、キャリア拡張モードがＥｘｔｅｎｄｅｄモードかＮｏｒｍａｌモードかに関する情報（以下、「伝送モード情報」と言う。）、フレーム当たりのシンボル数、変調方法、前方誤り訂正（Ｆｏｒｗａｒｄ  Ｅｒｒｏｒ  Ｃｏｒｒｅｃｔｉｏｎ：ＦＥＣ）符号の符号化率等、受信のために必要なあらゆる送信パラメータ情報（以下、「Ｐ２送信情報」と言う。）が含まれている。なお、Ｐ２シンボルのシンボル数は、Ｐ２シンボルのＦＦＴサイズによって、図３４に示すように設定される。【００３４】
以上のようなＤＶＢ−Ｔ２伝送フォーマットにおけるＰ１シンボルの復調技術として、非特許文献１に開示されている手法がある。【００３５】
Ｐ１シンボルの復調を実施するＰ１復調部２０００の構成を図３５に示す。Ｐ１復調部２０００は、Ｐ１位置検出部２００１と、Ｐ１狭帯域ｆｃ誤差検出補正部２００２と、ＦＦＴ部２００３と、ＣＤＳテーブル生成部２００４と、Ｐ１広帯域ｆｃ誤差検出補正部２００５と、Ｐ１デコード部２００６とを備える。【００３６】
Ｐ１位置検出部２００１は、入力信号を用いて、Ｐ１シンボルのガードインターバル区間（前ガードインターバル区間、後ガードインターバル区間）の信号とＰ１シンボルの有効シンボル区間の所定の部分の信号との相関（ガード相関）を算出していく。そして、Ｐ１位置検出部２００１は、算出した相関値をガードインターバル区間（前ガードインターバル区間、後ガードインターバル区間）の時間幅で区間積分していき、区間積分値のピークを検出することによって入力信号でのＰ１シンボルの位置を検出する。【００３７】
但し、相関の算出処理は、送信側で付加されたｆＳＨ分の周波数シフトを考慮して行われる。また、所定の部分とは、前ガードインターバル区間に対しては、有効シンボル区間内の前部分であり、後ガードインターバル区間に対しては、有効シンボル区間内の後ろ部分である（図２８参照）。なお、後述するＰ１狭帯域ｆｃ誤差検出補正部２００２による相関の算出処理においても同様である。【００３８】
Ｐ１狭帯域ｆｃ誤差検出補正部２００２は、Ｐ１シンボルのガードインターバル区間（前ガードインターバル区間、後ガードインターバル区間）の信号とＰ１シンボルの有効シンボル区間の所定の部分の信号との相関（ガード相関）を算出していき、その相関からＰ１シンボルのサブキャリア間隔以下の周波数誤差量（狭帯域キャリア周波数誤差量）を検出する。そして、Ｐ１狭帯域ｆｃ誤差検出補正部２００２は、検出した狭帯域キャリア周波数誤差量に基づいて、Ｐ１シンボルの狭帯域キャリア周波数のずれを補正し、狭帯域キャリア周波数のずれが補正されたＰ１シンボルをＦＦＴ部２００３へ出力する。【００３９】
ＦＦＴ部２００３は、Ｐ１シンボルの有効シンボル区間の時間領域の信号をＦＦＴサイズ１ｋでＦＦＴし、ＦＦＴの結果（Ｐ１シンボルの有効シンボル区間の周波数領域の信号）をＰ１広帯域ｆｃ誤差検出補正部２００５へ出力する。【００４０】
ＣＤＳテーブル生成部２００４は、Ａｃｔｉｖｅキャリアの位置を示す系列（以下、「Ａｃｔｉｖｅキャリアの配置系列」と言う。）を生成し、生成したＡｃｔｉｖｅキャリアの配置系列をＰ１広帯域ｆｃ誤差検出補正部２００５へ出力する。ここで、Ａｃｔｉｖｅキャリアの配置系列は、図３２に示すＡｃｔｉｖｅキャリアの位置を「１」とし、それ以外のＮｕｌｌキャリアの位置を「０」とした系列である。【００４１】
Ｐ１広帯域ｆｃ誤差検出補正部２００５は、ＣＤＳテーブル生成部２００４から入力されたＡｃｔｉｖｅキャリアの配置系列を用いて、ＦＦＴ部２００３の出力信号でのＰ１シンボルのサブキャリア間隔単位の周波数誤差量（広帯域キャリア周波数誤差量）を検出する。そして、Ｐ１広帯域ｆｃ誤差検出補正部２００５は、検出した広帯域キャリア周波数誤差量に基づいて、Ｐ１シンボルの広帯域キャリア周波数のずれを補正する。Ｐ１広帯域ｆｃ誤差検出補正部２００５は、広帯域キャリア周波数のずれが補正されたＰ１シンボルからＡｃｔｉｖｅキャリアのみを抽出してＰ１デコード部２００６へ出力する。【００４２】
ここで、Ｐ１シンボルの広帯域キャリア周波数誤差量の検出について説明する。Ｐ１シンボルを構成するサブキャリアには、上述したように、ＡｃｔｉｖｅキャリアとＮｕｌｌキャリアとが存在する。これを利用し、各サブキャリアのパワーを演算し、その演算結果を１サブキャリアずつシフトしながら、演算結果と既知のＡｃｔｉｖｅキャリアの配置系列（ＣＤＳテーブル生成部２００４からの入力）との相関（配置相関）を算出する。【００４３】
ＡｃｔｉｖｅキャリアにはＤＢＰＳＫされた信号がマッピングされているため、広帯域キャリア周波数誤差量が０となるシフト量での配置相関値は、全てのＡｃｔｉｖｅキャリアのパワーの総和となり、Ｎｕｌｌキャリアを含んでしまう他のシフト量での相関値に比べて大きな値になる。このことから、最大となる相関値を得るシフト量が広帯域キャリア周波数誤差量となり、広帯域キャリア周波数誤差量の検出が可能である。ここで、シフト量は、入力信号に広帯域キャリア周波数誤差がない場合のシフト量を基準（シフト量「０」）とする（以下において、同様）。【００４４】
図３５のＰ１デコード部２００６は、Ｐ１広帯域ｆｃ誤差検出補正部２００５から入力されたＰ１シンボルのＡｃｔｉｖｅキャリアを基にＰ１シンボルのデコード処理を実施し、Ｐ１送信情報を取り出す。【００４５】
ここで、Ｐ１デコード部２００６について図３６を参照して説明する。図３６は図３５のＰ１デコード部２００６の構成図である。Ｐ１デコード部２００６は、デスクランブル部２１０１と、差動復調部２１０２と、パターンマッチング部２１０３とを備える。なお、ここでは、Ｐ１シンボルの低い周波数領域のＳ１信号のみを用いてＰ１シンボルのデコード処理を実施するものとする。【００４６】
デスクランブル部２１０１には、図３５のＰ１広帯域ｆｃ誤差検出補正部２００５からＡｃｔｉｖｅキャリアの信号系列Ａｃｔが入力される。デスクランブル部２１０１は、Ａｃｔｉｖｅキャリアの信号系列Ａｃｔに対して、下記の（数９）に示すデスクランブルを実施し、デスクランブルされた信号系列ＤＥＳＣＲを差動復調部２１０２へ出力する。【００４７】
【数９】
2012060051.tif 000011
【００４８】
具体的には、デスクランブル部２１０１は、送信側で乗算された、ＰＲＢＳに基づく信号ＰＲＢＳｉ（ｉ＝０，１，２，・・・，３１９）を用いて、Ａｃｔｉｖｅキャリアの信号Ａｃｔｉに対して、下記の（数１０）に示すデスクランブルを実施し、デスクランブルされた信号ＤＥＳＣＲｉを差動復調部２１０２へ出力する。【００４９】
【数１０】
2012060051.tif 000012
【００５０】
差動復調部２１０２には、デスクランブル部２１０１から信号ＤＥＳＣＲｉ（ｉ＝０，１，・・・，３１９）が入力される。差動復調部２１０２は、信号ＤＥＳＣＲｉ（ｉ＝１，２，・・・，３１９）と、１Ａｃｔｉｖｅキャリアずらした信号ＤＥＳＣＲｉ−１の共役複素の信号ＤＥＳＣＲ＊ｉ−１との複素乗算を実施することで差動検波を実施する。なお、上付きの添え字「＊」は共役複素を表す（以下において、同様）。そして、差動復調部２１０２は、差動検波の結果の実軸の極性から、信号ＤＥＳＣＲｉ・ＤＥＳＣＲ＊ｉ−１の復調（硬判定）を実施し、復調された信号ＤＥＭＯＤｉをパターンマッチング部２１０３へ出力する。この差動復調部２１０２の処理は、下記の（数１１）で表され、差動復調部２１０２が実施する差動復調はＤＢＰＳＫに対応する復調である。【００５１】
【数１１】
2012060051.tif 000013
【００５２】
但し、差動復調部２１０２は、ｉ＝０は基準であるため、信号ＤＥＳＣＲ０の実軸の極性から復調（硬判定）を実施し、復調された信号ＤＥＭＯＤ０をパターンマッチング部２１０３へ出力する。【００５３】
パターンマッチング部２１０３は、差動復調部２１０２によって差動復調された信号ＤＥＭＯＤ０，ＤＥＭＯＤ１，・・・，ＤＥＭＯＤ３１９を、下記の（数１２）及び（数１３）に示すように、信号系列ＤＥＭＯＤ＿ＣＳＳＳ１（Ｓ１信号に対応）と信号系列ＤＥＭＯＤ＿ＣＳＳＳ２（Ｓ２信号に対応）とに分ける。【００５４】
【数１２】
2012060051.tif 000014
【００５５】
【数１３】
2012060051.tif 000015
【００５６】
そして、パターンマッチング部２１０３は、図３１に示した系列ＣＳＳＳ１，ｋ（ｋ＝０，１，・・・，７）のうちどれが一番確からしいかを求めるために、また、図３１に示した系列ＣＳＳＳ２，ｋ（ｋ＝０，１，・・・，１５）のうちどれが一番確からしいかを求めるために、次の処理を行う。ここでは、インデックスｋは、図３１に示した８個の系列ＣＳＳＳ１を区別するために、また、図３１に示した１６個の系列ＣＳＳＳ２を区別するために、用いている（以下において、同様）。【００５７】
パターンマッチング部２１０３は、下記の（数１４）に示すように、図３１の各系列ＣＳＳＳ１，ｋと系列ＤＥＭＯＤ＿ＣＳＳＳ１との相関ＣＯＲＲＳ１，ｋを求め、下記の（数１５）に示すように、図３１の各系列ＣＳＳＳ２，ｋと系列ＤＥＭＯＤ＿ＣＳＳＳ２との相関ＣＯＲＲＳ２，ｋを求める。【００５８】
【数１４】
2012060051.tif 000016
【００５９】
【数１５】
2012060051.tif 000017
【００６０】
そして、パターンマッチング部２１０３は、上記の（数１４）を用いて算出された８個の相関値のうちの最大の相関値をとる系列ＣＳＳＳ１，ｋに対応する３ビットのＳ１信号（図３１参照）を送信されたＳ１信号と推定する。また、パターンマッチング部２１０３は、上記の（数１５）を用いて算出された１６個の相関値のうちの最大の相関値をとる系列ＣＳＳＳ２，ｋに対応する４ビットのＳ２信号（図３１参照）を送信されたＳ２信号と推定する。パターンマッチング部２１０３は、推定したＳ１信号とＳ２信号とを用いてＰ１送信情報を取得する。
【先行技術文献】
【非特許文献】
【００６１】
【非特許文献１】Ｄｒａｆｔ  ＥＴＳＩ  ＴＲ  １０２  ８３１  ｖ０．１０．０４  Ｄｉｇｉｔａｌ  Ｖｉｄｅｏ  Ｂｒｏａｄｃａｓｔｉｎｇ（ＤＶＢ）；Ｉｍｐｌｅｍｅｎｔａｔｉｏｎ  ｇｕｉｄｅｌｉｎｅｓ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅｍ（ＤＶＢ−Ｔ２）
【発明の概要】
【発明が解決しようとする課題】
【００６２】
しかしながら、Ｐ１シンボルは、上述したように、ＡｃｔｉｖｅキャリアとＮｕｌｌキャリアとで構成されており（図２９参照）、図３７に示すように、ガードインターバル区間の信号は有効シンボル区間の信号を１サブキャリア（上記のｆＳＨ相当量）分周波数が高くなるように周波数シフトしたものであることから、ノイズやマルチパス干渉環境下において、以下の課題を有する。なお、図３７において、周波数軸の下に記載した値は、サブキャリア番号であり、周波数の値そのものではない。【００６３】
マルチパス干渉が存在した場合の受信信号の模式図を図３８に示す。ここでは、１波目を主波、２波目を遅延波として扱う。１波目（主波）の有効シンボル区間の信号（主波の有効シンボル区間の信号）に対して、図３８に示すように、ＦＦＴを実施した場合のサブキャリアの分布図を図３９に示す。【００６４】
マルチパス干渉が存在すると、ＦＦＴ実施区間には、ＦＦＴ実施対象のＰ１シンボルの主波の有効シンボル区間の信号成分に加え、当該ＦＦＴ実施対象のＰ１シンボルの遅延波の前ガードインターバル区間の信号成分が含まれる。また、遅延波の遅延量によっては（遅延量が前ガードインターバル区間の時間幅を超える場合）、図３８に示すように、ＦＦＴ実施区間には、ＦＦＴ実施対象のＰ１シンボルの主波の有効シンボル区間の信号成分に加え、当該ＦＦＴ実施対象のＰ１シンボルの遅延波の前ガードインターバル区間の信号成分及び１つ前のＯＦＤＭシンボル（例えば、データシンボル）の信号成分が含まれる。【００６５】
前ガードインターバル区間及び後ガードインターバル区間の夫々の信号は有効シンボル区間の一部の信号を１サブキャリア分周波数が高くなるように周波数シフトしたものである。このことから、遅延波が存在する場合、前ガードインターバル区間のＡｃｔｉｖｅキャリアの信号成分は、図３９に示すように、有効シンボル区間のＡｃｔｉｖｅキャリアの信号成分に対して、１サブキャリア分周波数が高い位置に現れる。また、他のＯＦＤＭシンボル（例えば、データシンボル）の信号成分は、図３９に図示していないが、全サブキャリアに現れる。【００６６】
このため、Ｎｕｌｌキャリアの信号成分の電力が大きくなり、Ｐ１広帯域ｆｃ誤差検出補正部２００５による配置相関演算において、正しいサブキャリア位置での配置相関値に比べ、他のサブキャリア位置での配置相関値が小さくならずに、逆に大きくなってしまうことがある。この場合には、Ｐ１広帯域ｆｃ誤差検出補正部２００５は広帯域キャリア周波数誤差量の推定を誤ってしまう。なお、先行波が存在する場合も同様に先行波に起因して広帯域キャリア周波数誤差量の推定を誤ってしまう。【００６７】
また、ノイズ環境下においても、全サブキャリアにノイズ成分が現れてしまい、Ｎｕｌｌキャリアの信号成分の電力が大きくなり、Ｐ１広帯域ｆｃ誤差検出補正部２００５は広帯域キャリア周波数誤差量の推定を誤ってしまうことがある。【００６８】
広帯域キャリア周波数誤差量の推定を誤ると、誤ったサブキャリアを用いた差動復調が実施されてしまい、正しくＰ１送信情報を得ることができず、安定して受信ができなくなってしまうという問題がある。【００６９】
なお、上記では、ＤＶＢ−Ｔ２フレームのＰ１シンボルを対象とし、マルチパス干渉環境下やノイズ環境下での広帯域キャリア周波数誤差量の誤推定を課題として説明したが、これに限らず、広帯域キャリア周波数の誤推定は受信信号の受信性能の劣化につながり、受信側において大きな問題である。【００７０】
そこで、本発明は、有効シンボル区間の信号と、当該有効シンボル区間の信号に基づくガードインターバル区間の信号とから構成されたＯＦＤＭシンボルの広帯域キャリア周波数誤差量の推定精度の向上を図ることができるＯＦＤＭ受信装置、ＯＦＤＭ受信回路、ＯＦＤＭ受信方法、及びＯＦＤＭ受信プログラムを提供することを目的とする。
【課題を解決するための手段】
【００７１】
上記目的を達成するために本発明のＯＦＤＭ受信装置は、有効シンボル区間の信号と、当該有効シンボル区間の信号に基づくガードインターバル区間の信号とから構成されたＯＦＤＭシンボルを受信するＯＦＤＭ受信装置であって、前記有効シンボル区間の信号を直交変換し、直交変換の結果を出力する第１直交変換部と、前記ガードインターバル区間の信号を直交変換し、直交変換の結果を出力する第２直交変換部と、前記第１直交変換部の出力信号と前記第２直交変換部の出力信号とに基づいて前記ＯＦＤＭシンボルの広帯域キャリア周波数誤差量を検出する検出部と、前記検出部により検出された広帯域キャリア周波数誤差量に基づいて前記ＯＦＤＭシンボルの広帯域キャリア周波数のずれの補正を実施する補正部と、を備える。
【発明の効果】
【００７２】
上記のＯＦＤＭ受信装置によれば、有効シンボル区間の信号と当該有効シンボル区間の信号に基づくガードインターバル区間の信号との２つの信号を用いてＯＦＤＭシンボルの広帯域キャリア周波数誤差量の検出を行っているため、マルチパス干渉環境下やノイズの厳しい環境下においても、ＯＦＤＭシンボルの広帯域キャリア周波数誤差量の誤推定を低減でき、受信性能の向上が図られる。
【図面の簡単な説明】
【００７３】
【図１】本発明の一例のＯＦＤＭ受信装置Ａの構成図。
【図２】第１の実施の形態に係るＯＦＤＭ受信装置１の構成図。
【図３】図２の復調部３０の構成図。
【図４】図３のＰ１復調部１０３の構成図。
【図５】図４のＰ１直交変換部１５３Ｕ及びＰ１直交変換部１５３Ｇが直交変換を実施するＰ１シンボルの信号部分を説明するための模式図。
【図６】図４のＰ１広帯域ｆｃ誤差検出補正部１５５の構成図。
【図７】図４のＰ１デコード部１５６の構成図。
【図８】遅延波が存在する場合のＰ１シンボルの時間軸での模式図。
【図９】遅延波が存在する場合のＰ１シンボルの周波数軸での模式図。
【図１０】遅延波が存在する場合のＰ１シンボルの周波数軸での模式図。
【図１１】第２の実施の形態に係るＰ１広帯域ｆｃ誤差検出補正部２００の構成図。
【図１２】第３の実施の形態に係るＰ１広帯域ｆｃ誤差検出補正部２５０の構成図。
【図１３】第４の実施の形態に係るＰ１広帯域ｆｃ誤差検出補正部３００の構成図。
【図１４】図１３の選択決定部３１２の構成図。
【図１５】第５の実施の形態に係るＰ１広帯域ｆｃ誤差検出補正部３５０の構成図。
【図１６】図１５の選択決定部３７１の構成図。
【図１７】第６の実施の形態に係るＰ１広帯域ｆｃ誤差検出補正部４００の構成図。
【図１８】図１７の選択決定部４１３の構成図。
【図１９】第７の実施の形態に係るＰ１広帯域ｆｃ誤差検出補正部４５０の構成図。
【図２０】図１９の選択決定部４７１の構成図。
【図２１】第８の実施の形態に係るＰ１広帯域ｆｃ誤差検出補正部５００の構成図。
【図２２】図２１の選択決定部５１２の構成図。
【図２３】第９の実施の形態に係るＰ１広帯域ｆｃ誤差検出補正部５５０の構成図。
【図２４】図２３の選択決定部５７２の構成図。
【図２５】第１０の実施の形態に係るＰ１広帯域ｆｃ誤差検出補正部６００の構成図。
【図２６】図２５の選択決定部３１２Ａの構成図。
【図２７】ＤＶＢ−Ｔ２伝送規格のフレーム構造を表す模式図。
【図２８】Ｐ１シンボルの時間軸の送信フォーマットを表す模式図。
【図２９】Ｐ１シンボルの周波数軸の送信フォーマットを表す模式図。
【図３０】Ｐ１シンボルを生成するＰ１生成部１０００の構成図。
【図３１】Ｓ１信号及びＳ２信号の値に対する変換系列を表す図。
【図３２】Ｐ１シンボルにおけるＡｃｔｉｖｅキャリア位置を表す図。
【図３３】ＤＶＢ−Ｔ２伝送規格で許容されるＦＦＴサイズとガードインターバル比とパイロットパターンの組合せを示す図。
【図３４】ＦＦＴサイズに対する１フレーム当たりのＰ２シンボルのシンボル数を示す図。
【図３５】従来のＰ１復調部２０００の構成図。
【図３６】図３５のＰ１デコード部２００６の構成図。
【図３７】Ｐ１シンボルの有効シンボル区間の信号の周波数位置とＰ１シンボルのガードインターバル区間の信号の周波数位置とを比較するための模式図。
【図３８】遅延波が存在する場合のＰ１シンボルの時間軸での模式図。
【図３９】遅延波が存在する場合のＰ１シンボルの周波数軸での模式図。
【発明を実施するための形態】
【００７４】
本発明の一態様である第１のＯＦＤＭ受信装置は、有効シンボル区間の信号と、当該有効シンボル区間の信号に基づくガードインターバル区間の信号とから構成されたＯＦＤＭシンボルを受信するＯＦＤＭ受信装置であって、前記有効シンボル区間の信号を直交変換し、直交変換の結果を出力する第１直交変換部と、前記ガードインターバル区間の信号を直交変換し、直交変換の結果を出力する第２直交変換部と、前記第１直交変換部の出力信号と前記第２直交変換部の出力信号とに基づいて前記ＯＦＤＭシンボルの広帯域キャリア周波数誤差量を検出する検出部と、前記検出部により検出された広帯域キャリア周波数誤差量に基づいて前記ＯＦＤＭシンボルの広帯域キャリア周波数のずれの補正を実施する補正部と、を備える。
【００７５】
本発明の一態様である第１のＯＦＤＭ受信回路は、有効シンボル区間の信号と、当該有効シンボル区間の信号に基づくガードインターバル区間の信号とから構成されたＯＦＤＭシンボルを受信するＯＦＤＭ受信回路であって、前記有効シンボル区間の信号を直交変換し、直交変換の結果を出力する第１直交変換回路と、前記ガードインターバル区間の信号を直交変換し、直交変換の結果を出力する第２直交変換回路と、前記第１直交変換回路の出力信号と前記第２直交変換回路の出力信号とに基づいて前記ＯＦＤＭシンボルの広帯域キャリア周波数誤差量を検出する検出回路と、前記検出回路により検出された広帯域キャリア周波数誤差量に基づいて前記ＯＦＤＭシンボルの広帯域キャリア周波数のずれの補正を実施する補正回路と、を備える。
【００７６】
本発明の一態様である第１のＯＦＤＭ受信方法は、有効シンボル区間の信号と、当該有効シンボル区間の信号に基づくガードインターバル区間の信号とから構成されたＯＦＤＭシンボルを受信するＯＦＤＭ受信装置において行われるＯＦＤＭ受信方法であって、前記有効シンボル区間の信号を直交変換する第１直交変換ステップと、前記ガードインターバル区間の信号を直交変換する第２直交変換ステップと、前記第１直交変換ステップでの直交変換の結果と前記第２直交変換ステップでの直交変換の結果とに基づいて前記ＯＦＤＭシンボルの広帯域キャリア周波数誤差量を検出する検出ステップと、前記検出ステップで検出された広帯域キャリア周波数誤差量に基づいて前記ＯＦＤＭシンボルの広帯域キャリア周波数のずれの補正を実施する補正ステップと、を備える。
【００７７】
本発明の一態様である第１のＯＦＤＭ受信プログラムは、有効シンボル区間の信号と、当該有効シンボル区間の信号に基づくガードインターバル区間の信号とから構成されたＯＦＤＭシンボルを受信するＯＦＤＭ受信装置に、前記有効シンボル区間の信号を直交変換する第１直交変換ステップと、前記ガードインターバル区間の信号を直交変換する第２直交変換ステップと、前記第１直交変換ステップでの直交変換の結果と前記第２直交変換ステップでの直交変換の結果とに基づいて前記ＯＦＤＭシンボルの広帯域キャリア周波数誤差量を検出する検出ステップと、前記検出ステップで検出された広帯域キャリア周波数誤差量に基づいて前記ＯＦＤＭシンボルの広帯域キャリア周波数のずれの補正を実施する補正ステップと、を実行させる。
【００７８】
上記のＯＦＤＭ受信装置、ＯＦＤＭ受信回路、ＯＦＤＭ受信方法、及びＯＦＤＭ受信プログラムの夫々によれば、有効シンボル区間の信号と当該有効シンボル区間の信号に基づくガードインターバル区間の信号との２つの信号を用いてＯＦＤＭシンボルの広帯域キャリア周波数誤差量の検出を行っているため、マルチパス干渉環境下やノイズの厳しい環境下においても、ＯＦＤＭシンボルの広帯域キャリア周波数誤差量の誤推定を低減でき、受信性能の向上が図られる。
【００７９】
ここで、第１のＯＦＤＭ受信装置の一構成例を図１に示す。図１のＯＦＤＭ受信装置Ａは、有効シンボル区間の信号と、当該有効シンボル区間の信号に基づくガードインターバル区間の信号とから構成されたＯＦＤＭシンボルを受信する。第１直交変換部Ａ１は、第１のＯＦＤＭ受信装置の第１直交変換部に当たり、有効シンボル区間の信号を直交変換し、直交変換の結果を出力する。また、第２直交変換部Ａ２は、第１のＯＦＤＭ受信装置の第２直交変換部に当たり、ガードインターバル区間の信号を直交変換し、直交変換の結果を出力する。更に、検出部Ａ３は、第１のＯＦＤＭ受信装置の検出部に当たり、第１直交変換部Ａ１の出力信号と第２直交変換部Ａ２の出力信号とに基づいてＯＦＤＭシンボルの広帯域キャリア周波数誤差量を検出する。更に、補正部Ａ４は、第１のＯＦＤＭ受信装置の補正部に当たり、検出部Ａ３により検出された広帯域キャリア周波数誤差量に基づいてＯＦＤＭシンボルの広帯域キャリア周波数のずれの補正を実施する。
【００８０】
本発明の一態様である第２のＯＦＤＭ受信装置は、第１のＯＦＤＭ受信装置において、前記ガードインターバル区間の信号は、前記有効シンボル区間の信号を周波数シフトしたものである。
【００８１】
これによれば、ガードインターバル区間の信号は有効シンボル区間の信号を周波数シフトしたものであるため、同じ信号が異なる２つの周波数で送信され（異なる２つの伝送路特性で送信され）、両方の信号を用いてＯＦＤＭシンボルの広帯域キャリア周波数誤差量の検出が実施されている。このため、ノイズの厳しい環境やマルチパス干渉環境下において広帯域キャリア周波数誤差量の誤検出を低減でき、安定した受信が可能になる。
【００８２】
本発明の一態様である第３のＯＦＤＭ受信装置は、第２のＯＦＤＭ受信装置において、前記第２直交変換部の入力信号又は前記第２直交変換部の出力信号に対して前記周波数シフトを相殺する逆方向の周波数シフトの実施に係る補正処理を前記第２直交変換部の前段又は後段において実施し、補正処理の結果を出力する周波数シフト補正部を更に備え、前記検出部は、前記広帯域キャリア周波数のずれの補正を、前記第１直交変換部の出力信号と、前記周波数シフト補正部の出力信号を直交変換して得られた前記第２直交変換部の出力信号又は前記周波数シフト補正部の出力信号と、に基づいて行う。
【００８３】
これによれば、ガードインターバル区間の信号は有効シンボル区間の信号を周波数シフトしたものであることを考慮した広帯域キャリア周波数誤差量の検出処理を実施でき、ノイズの厳しい環境やマルチパス干渉環境下において広帯域キャリア周波数誤差量の誤検出を低減でき、安定した受信が可能になる。
【００８４】
本発明の一態様である第４のＯＦＤＭ受信装置は、第１のＯＦＤＭ受信装置において、前記ＯＦＤＭシンボルは、ＤＶＢ−Ｔ２伝送方式におけるＰ１シンボルであり、前記ガードインターバル区間は、前記有効シンボル区間より手前の前ガードインターバル区間と、前記有効シンボル区間より後ろの後ガードインターバル区間とからなり、前記第２直交変換部は、前記直交変換を、前記前ガードインターバル区間の信号と前記後ガードインターバル区間の信号とを結合した信号を用いて行う。
【００８５】
これによれば、ＤＶＢ−Ｔ２伝送方式におけるＰ１シンボルの広帯域キャリア周波数誤差量の誤検出を低減することができる。
【００８６】
本発明の一態様である第５のＯＦＤＭ受信装置は、第１のＯＦＤＭ受信装置において、前記ＯＦＤＭシンボルを構成する複数のサブキャリアは、複数のＡｃｔｉｖｅキャリアと複数のＮｕｌｌキャリアとで構成されており、前記複数のＡｃｔｉｖｅキャリアの各々が配置されるサブキャリア位置は、所定の配置パターンによって規定されており、前記検出部は、前記第１直交変換部の出力信号と前記第２直交変換部の出力信号とに基づく信号の連続する複数のサブキャリアにおいて前記配置パターンで規定された複数のＡｃｔｉｖｅキャリアの位置に対応するサブキャリアでの当該信号の値を加算する加算処理を、前記連続する複数のサブキャリアを所定の範囲内でサブキャリア方向に１サブキャリア単位で順次シフトしながら実施し、加算処理の結果に基づいて、前記広帯域キャリア周波数誤差量を検出する。
【００８７】
これによれば、有効シンボル区間の信号とガードインターバル区間の信号との２つの信号を用いてＯＦＤＭシンボルの広帯域キャリア周波数誤差量の検出を行っているため、マルチパス干渉環境下やノイズの厳しい環境下においても、ＯＦＤＭシンボルの広帯域キャリア周波数誤差量の誤推定を低減でき、受信性能の向上が図られる。
【００８８】
本発明の一態様である第６のＯＦＤＭ受信装置は、第５のＯＦＤＭ受信装置において、前記検出部は、前記第１直交変換部の出力信号と前記第２直交変換部の出力信号との複素乗算をサブキャリア毎に実施する複素乗算部と、連続する複数のサブキャリアにおいて前記配置パターンで規定された複数のＡｃｔｉｖｅキャリアの位置に対応するサブキャリアでの複素乗算値を加算する加算処理を、前記連続する複数のサブキャリアを所定の範囲内でサブキャリア方向に１サブキャリア単位で順次シフトしながら実施して加算処理の結果を出力する加算処理部と、前記加算処理部の各出力信号の電力を算出し、算出結果を出力する電力算出部と、前記電力算出部の各出力信号の中から最大値を検出することによって前記広帯域キャリア周波数誤差量を検出する最大値検出部と、を備える。
【００８９】
本発明の一態様である第７のＯＦＤＭ受信装置は、第５のＯＦＤＭ受信装置において、前記検出部は、前記第１直交変換部の出力信号の電力をサブキャリア毎に算出し、算出結果を出力する第１電力算出部と、前記第２直交変換部の出力信号の電力をサブキャリア毎に算出し、算出結果を出力する第２電力算出部と、前記第１電力算出部の出力信号と前記第２電力算出部の出力信号との乗算をサブキャリア毎に実施する乗算部と、連続する複数のサブキャリアにおいて前記配置パターンで規定された複数のＡｃｔｉｖｅキャリアの位置に対応するサブキャリアでの乗算値を加算する加算処理を、前記連続する複数のサブキャリアを所定の範囲内でサブキャリア方向に１サブキャリア単位で順次シフトしながら実施して加算処理の結果を出力する加算処理部と、前記加算処理部の各出力信号の中から最大値を検出することによって前記広帯域キャリア周波数誤差量を検出する最大値検出部と、を備える。
【００９０】
本発明の一態様である第８のＯＦＤＭ受信装置は、第５のＯＦＤＭ受信装置において、前記検出部は、前記第１直交変換部の出力信号の振幅をサブキャリア毎に算出し、算出結果を出力する第１振幅算出部と、前記第２直交変換部の出力信号の振幅をサブキャリア毎に算出し、算出結果を出力する第２振幅算出部と、前記第１振幅算出部の出力信号と前記第２振幅算出部の出力信号との乗算をサブキャリア毎に実施する乗算部と、連続する複数のサブキャリアにおいて前記配置パターンで規定された複数のＡｃｔｉｖｅキャリアの位置に対応するサブキャリアでの乗算値を加算する加算処理を、前記連続する複数のサブキャリアを所定の範囲内でサブキャリア方向に１サブキャリア単位で順次シフトしながら実施して加算処理の結果を出力する加算処理部と、前記加算処理部の各出力信号の中から最大値を検出することによって前記広帯域キャリア周波数誤差量を検出する最大値検出部と、を備える。
【００９１】
これらによれば、有効シンボル区間の信号とガードインターバル区間の信号との２つの信号を用いてＯＦＤＭシンボルの広帯域キャリア周波数誤差量の検出を行う構成を提供することができる。
【００９２】
本発明の一態様である第９のＯＦＤＭ受信装置は、第１のＯＦＤＭ受信装置において、前記ＯＦＤＭシンボルを構成する複数のサブキャリアは、複数のＡｃｔｉｖｅキャリアと複数のＮｕｌｌキャリアとで構成されており、前記複数のＡｃｔｉｖｅキャリアの各々が配置されるサブキャリア位置は、所定の配置パターンによって規定されており、前記検出部は、前記第１直交変換部の出力信号と前記第２直交変換部の出力信号との双方を用いて広帯域キャリア周波数誤差量の第１候補を検出し、前記第１候補の信頼度を検出する第１検出処理、前記第１直交変換部の出力信号及び前記第２直交変換部の出力信号のうちの前記第１直交変換部の出力信号のみを用いて広帯域キャリア周波数誤差量の第２候補を検出し、前記第２候補の信頼度を検出する第２検出処理、及び、前記第１直交変換部の出力信号及び前記第２直交変換部の出力信号のうちの前記第２直交変換部の出力信号のみを用いて広帯域キャリア周波数誤差量の第３候補を検出し、前記第３候補の信頼度を検出する第３検出処理、の少なくとも２つを実施し、信頼度が最も高い広帯域キャリア周波数誤差量の候補を前記補正部が用いる前記広帯域キャリア周波数誤差量として選択する。
【００９３】
これによれば、使用する信号の組合せが異なる複数種類の広帯域キャリア周波数誤差量の検出処理を実施しているため、補正部が用いる広帯域キャリア周波数誤差量の検出精度の向上を図ることができる。
【００９４】
本発明の一態様である第１０のＯＦＤＭ受信装置は、第９のＯＦＤＭ受信装置において、前記検出部は、前記第１検出処理を、前記第１直交変換部の出力信号と前記第２直交変換部の出力信号とに基づく第１信号の連続する複数のサブキャリアにおいて前記配置パターンで規定された複数のＡｃｔｉｖｅキャリアの位置に対応するサブキャリアでの当該第１信号の値を加算する加算処理を、前記連続する複数のサブキャリアを所定の範囲内でサブキャリア方向に１サブキャリア単位で順次シフトしながら実施し、加算処理の結果に基づいて前記広帯域キャリア周波数誤差量の第１候補及び前記第１候補の信頼度を検出することによって実施し、前記第２検出処理を、前記第１直交変換部の出力信号に基づく第２信号の連続する複数のサブキャリアにおいて前記配置パターンで規定された複数のＡｃｔｉｖｅキャリアの位置に対応するサブキャリアでの当該第２信号の値を加算する加算処理を、前記連続する複数のサブキャリアを所定の範囲内でサブキャリア方向に１サブキャリア単位で順次シフトしながら実施し、加算処理の結果に基づいて前記広帯域キャリア周波数誤差量の第２候補及び前記第２候補の信頼度を検出することによって実施し、前記第３検出処理を、前記第２直交変換部の出力信号に基づく第３信号の連続する複数のサブキャリアにおいて前記配置パターンで規定された複数のＡｃｔｉｖｅキャリアの位置に対応するサブキャリアでの当該第３信号の値を加算する加算処理を、前記連続する複数のサブキャリアを所定の範囲内でサブキャリア方向に１サブキャリア単位で順次シフトしながら実施し、加算処理の結果に基づいて前記広帯域キャリア周波数誤差量の第３候補及び前記第３候補の信頼度を検出することによって実施する。
【００９５】
これによれば、使用する信号の組合せが異なる複数種類の広帯域キャリア周波数誤差量の検出処理を実施しているため、補正部が用いる広帯域キャリア周波数誤差量の検出精度の向上を図ることができる。
【００９６】
本発明の一態様である第１１のＯＦＤＭ受信装置は、第１０のＯＦＤＭ受信装置において、前記第１から第３の各信頼度は前記加算処理の結果の最大値を２番目に大きい値で除算した値であって値が大きい程信頼度が高い、又は、前記第１から第３の各信頼度は前記加算処理の結果の最大値で２番目に大きい値を除算した値であって値が小さい程信頼度が高い。
【００９７】
本発明の一態様である第１２のＯＦＤＭ受信装置は、第１０のＯＦＤＭ受信装置において、前記第１から第３の各信頼度は前記加算処理の結果の最大値であって値が大きい程信頼度が高い。
【００９８】
本発明の一態様である第１３のＯＦＤＭ受信装置は、第１０のＯＦＤＭ受信装置において、前記第１から第３の各信頼度は前記加算処理の結果の最大値と２番目に大きい値との差であって値が大きい程信頼度が高い。
【００９９】
これらによれば、信頼度の具体例を提供することができる。
【０１００】
本発明の一態様である第１４のＯＦＤＭ受信装置は、第１０のＯＦＤＭ受信装置において、検出された前記各候補の信頼度に基づいて、前記有効シンボル区間の信号と前記ガードインターバル区間の信号の一方を選択し、選択した信号を前記補正部へ出力する選択部を更に備え、前記補正部は、前記選択部から入力された信号に対して前記広帯域キャリア周波数ずれの補正を実施する。
【０１０１】
これによれば、有効シンボル区間の信号とガードインターバル区間の信号のうちで信頼度の高い方の信号に対して広帯域キャリア周波数のずれの補正が実施されるため、受信性能の向上が図られる。
【０１０２】
以下、本発明の実施の形態について、図面を参照しつつ説明する。
【０１０３】
≪第１の実施の形態≫
以下、本発明の第１の実施の形態に係るＯＦＤＭ受信装置１について、図面を参照しつつ説明する。但し、第１の実施の形態及び後述する各実施の形態では、第二世代の欧州地上デジタル放送規格であるＤＶＢ−Ｔ２方式に準拠したデジタル放送の受像機として動作するＯＦＤＭ受信装置を例に挙げて説明を行う。なお、ＯＦＤＭ受信装置１が受信する受信信号は、ＤＶＢ−Ｔ２伝送フォーマットに則ったＯＦＤＭシンボルから構成されるＯＦＤＭ信号である。
【０１０４】
図２は、第１の実施の形態に係るＯＦＤＭ受信装置１の構成図である。ＯＦＤＭ受信装置１は、アンテナ１０と、チューナ２０と、復調部３０と、デコード部４０と、表示部５０とを備える。
【０１０５】
アンテナ１０は、不図示の放送局から発せられた放送波を受信し、受信した放送波をチューナ２０へ出力する。チューナ２０は、アンテナ１０から入力された複数の放送波の中から所望の受信チャンネルの受信信号を選択し、選択した受信信号をＲＦ（Ｒａｄｉｏ  Ｆｒｅｑｕｅｎｃｙ）帯からＩＦ（Ｉｎｔｅｒｍｅｄｉａｔｅ  Ｆｒｅｑｕｅｎｃｙ）帯に変換し、ＩＦ帯の受信信号を復調部３０へ出力する。復調部３０は、後に詳述するように、チューナ２０から入力された受信信号を復調し、復調の結果得られた信号をデコード部４０へ出力する。
【０１０６】
デコード部４０は、復調部３０から入力された信号、例えばＨ．２６４等で圧縮された信号を映像信号や音声信号にデコードし、デコードした映像信号や音声信号を表示部５０へ出力する。表示部５０は、デコード部４０から入力された映像信号に基づいて映像表示を行い、デコード部４０から入力された音声信号に基づいて音声出力を行う。
【０１０７】
以下、図２の復調部３０について図３を参照しつつ説明する。図３は図２の復調部３０の構成図である。復調部３０は、Ａ／Ｄ変換部６０と、復調中核部７０と、制御情報収集部８０とを備える。
【０１０８】
Ａ／Ｄ変換部６０には、図２のチューナ２０からＩＦ帯の受信信号が入力される。Ａ／Ｄ変換部６０は、チューナ２０から入力された受信信号をアナログ信号からデジタル信号に変換し、デジタル信号に変換された受信信号（以下、「デジタル受信信号」と言う。）を復調中核部７０内の後述する直交復調部１０１へ出力する。
【０１０９】
復調中核部７０は、直交復調部１０１と、ｆｃ補正部１０２と、Ｐ１復調部１０３と、ＧＩ判定部１０４と、狭帯域ｆｃ誤差算出部１０５と、直交変換部１０６と、広帯域ｆｃ誤差算出部１０７と、伝送路特性推定部１０８と、等化部１０９と、誤り訂正部１１０とを備える。復調中核部７０内の各部は、必要に応じて制御情報収集部８０によって収集された制御情報を用いて動作する。
【０１１０】
直交復調部１０１は、Ａ／Ｄ変換部６０から入力されたＩＦ帯のデジタル受信信号を固定周波数により直交復調し、直交復調の結果得られた複素ベースバンド信号（同相成分と直交成分とからなる信号）をｆｃ補正部１０２へ出力する。
【０１１１】
ｆｃ補正部１０２は、これまでに、Ｐ１復調部１０３によって検出された狭帯域キャリア周波数誤差量（後述）及び広帯域キャリア周波数誤差量（後述）、これまでに狭帯域ｆｃ誤差算出部１０５によって算出された狭帯域キャリア周波数誤差量（後述）、及び、これまでに広帯域ｆｃ誤差算出部１０７によって算出された広帯域キャリア周波数誤差量（後述）に基づいて、補正キャリア周波数を発生する。ｆｃ補正部１０２は、補正キャリア周波数を基に、直交復調部１０１から入力された複素ベースバンド信号のキャリア周波数のずれを補正し、キャリア周波数のずれが補正された複素ベースバンド信号をＰ１復調部１０３、ＧＩ判定部１０４、狭帯域ｆｃ誤差算出部１０５、及び直交変換部１０６へ出力する。
【０１１２】
なお、直交復調部１０１で固定周波数を用いた直交復調を行い、ｆｃ補正部１０２でキャリア周波数のずれを補正するようにしているが、これに限定されるものではなく、例えば次のようなものであってもよい。キャリア周波数のずれの補正を同時に行う直交復調部は、固定周波数と検出されたキャリア周波数の誤差量とを足し合わせた周波数を用いた直交復調を行い、キャリア周波数のずれが補正された複素ベースバンド信号を得るようにしてもよい。
【０１１３】
Ｐ１復調部１０３にはｆｃ補正部１０２からキャリ周波数のずれが補正された複素ベースバンド信号が入力される。Ｐ１復調部１０３は、入力された複素ベースバンド信号から、ＤＶＢ−Ｔ２フレームに含まれるＰ１シンボルを検出する。Ｐ１復調部１０３は、Ｐ１シンボルから、Ｐ１シンボルのサブキャリア間隔以内の周波数誤差量（狭帯域キャリア周波数誤差量）及びＰ１シンボルのサブキャリア間隔単位の周波数誤差量（広帯域キャリア周波数誤差量）を検出し、それらを基にＰ１シンボルのキャリア周波数のずれを補正する。そして、Ｐ１復調部１０３は、キャリア周波数のずれが補正されたＰ１シンボルのデコード処理を実施し、Ｐ１シンボルで送信されたＰ１送信情報（ＦＦＴサイズ情報、ＭＩＳＯ／ＳＩＳＯ情報、ＦＥＦ有無情報など）を制御情報として制御情報収集部８０へ出力する。また、Ｐ１復調部１０３は、検出した狭帯域キャリア周波数誤差量及び広帯域キャリア周波数誤差量をｆｃ補正部１０２へ出力する。なお、Ｐ１復調部１０３の詳細については図４等を参照して後述する。
【０１１４】
ＧＩ判定部１０４は、Ｐ１シンボルで送信されたＰ２シンボルやデータシンボルのＦＦＴサイズが何であるかに関する情報（ＦＦＴサイズ情報）を制御情報収集部８０から受け取る。ＧＩ判定部１０４は、ＤＶＢ−Ｔ２で規定されている各ガードインターバル比で、受け取ったＦＦＴサイズを基に、ｆｃ補正部１０２から入力されたＰ２シンボル又はデータシンボルにおけるガードインターバル区間の信号と有効シンボル区間の後ろ部分の信号との相関（ガード相関）を算出する。ＧＩ判定部１０４は、ガード相関の算出結果を基に、実際の送信に用いられている、Ｐ２シンボル及びデータシンボルのガードインターバル比を推定し、推定したガードインターバル比を制御情報として制御情報収集部８０へ出力する。
【０１１５】
なお、ＧＩ判定部１０４におけるガード相関の算出対象を、ＤＶＢ−Ｔ２で規定されているガードインターバル比の全てとする代わりに、例えば、ＦＦＴサイズを基に特定できる実際の送信に用いられる可能性があるガードインターバル比（図３３参照）のみとしてもよく、ＦＦＴサイズ及びＭＩＳＯかＳＩＳＯかを基に特定できる実際の送信に用いられる可能性があるガードインターバル比（図３３参照）のみとしてもよい。
【０１１６】
狭帯域ｆｃ誤差算出部１０５は、制御情報収集部８０からＰ２シンボル及びデータシンボルのＦＦＴサイズやそれらのガードインターバル比を受け取る。そして、狭帯域ｆｃ誤差算出部１０５は、ＦＦＴサイズとガードインターバル比とを用いて、ｆｃ補正部１０２から入力されたＰ２シンボル及びデータシンボルにおけるガードインターバル区間の信号と有効シンボル区間の後ろ部分の信号との相関（ガード相関）を算出する。そして、狭帯域ｆｃ誤差算出部１０５は、算出したガード相関に基づいて、Ｐ２シンボル及びデータシンボルのサブキャリア間隔以内の周波数誤差量（狭帯域キャリア周波数誤差量）を算出し、算出した狭帯域キャリア周波数誤差量をｆｃ補正部１０２へ出力する。
【０１１７】
直交変換部１０６は、ｆｃ補正部１０２から入力されたＰ２シンボル及びデータシンボルの有効シンボル区間の信号（時間領域の複素ベースバンド信号）を直交変換し、直交変換の結果（周波数領域の複素ベースバンド信号）を、広帯域ｆｃ誤差算出部１０７、伝送路特性推定部１０８及び等化部１０９へ出力する。なお、直交変換部１０６は、フーリエ変換、コサイン変換、ウェーブレット変換、アダマール変換などに基づいて直交変換を行う。
【０１１８】
ここでは、一例として、直交変換部１０６は、フーリエ変換を用いて直交変換を行うものとし、フーリエ変換にＦＦＴを用いるものとする。直交変換部１０６は、Ｐ２シンボル及びデータシンボルの有効シンボル区間の信号（時間領域の複素ベースバンド信号）に対してＦＦＴを実施し、ＦＦＴの結果（周波数領域の複素ベースバンド信号）を広帯域ｆｃ誤差算出部１０７、伝送路特性推定部１０８、及び等化部１０９へ出力する。なお、直交変換部１０６の処理はこれに限定されるものではない。
【０１１９】
広帯域ｆｃ誤差算出部１０７は、直交変換部１０６から入力された周波数領域の複素ベースバンド信号（Ｐ２シンボル及びデータシンボルに関する信号）を用いて、それに含まれるパイロット信号の配置系列の相関を算出する。そして、広帯域ｆｃ誤差算出部１０７は、相関の算出結果を利用して、Ｐ２シンボル及びデータシンボルのサブキャリア間隔単位の周波数誤差量（広帯域キャリア周波数誤差量）を算出し、算出した広帯域キャリア周波数誤差量をｆｃ補正部１０２へ出力する。
【０１２０】
なお、復調部３０を、例えば、次のような構成に変更してもよい。直交変換部１０６と伝送路特性推定部１０８及び等化部１０９との間に広帯域ｆｃ補正部を設け、広帯域ｆｃ誤差算出部１０７は算出した広帯域キャリア周波数誤差量をｆｃ補正部１０２へ出力する代わりに広帯域ｆｃ補正部へ出力する。広帯域ｆｃ補正部は、広帯域ｆｃ誤差算出部１０７によって算出された広帯域キャリア周波数誤差量を用いて、直交変換部１０６から入力されるＰ２シンボル及びデータシンボルの広帯域キャリア周波数のずれを補正し、広帯域キャリア周波数のずれが補正されたＰ２シンボルやデータシンボルを伝送路特性推定部１０８と等化部１０９とへ出力する。
【０１２１】
伝送路特性推定部１０８には、直交変換部１０６から周波数領域の複素ベースバンド信号（Ｐ２シンボル及びデータシンボルに関する信号）が入力される。伝送路特性推定部１０８は、入力された周波数領域の複素ベースバンド信号が伝送路で受けた振幅及び位相の歪みの特性（伝送路特性）を、それに含まれるパイロット信号を利用して推定し、推定した伝送路特性を等化部１０９へ出力する。
【０１２２】
等化部１０９には、直交変換部１０６から周波数領域の複素ベースバンド信号（Ｐ２シンボル及びデータシンボルに関する信号）が入力される。等化部１０９は、入力された周波数領域の複素ベースバンド信号に対して、伝送路特性推定部１０８によって推定された伝送路特性を用いて、振幅及び位相の歪みの補正を実施する。そして、等化部１０９は、振幅及び位相の歪みが補正された信号を誤り訂正部１１０へ出力する。
【０１２３】
誤り訂正部１１０は、等化部１０９から入力された振幅及び位相の歪みが補正された信号に対し誤り訂正処理を実施し、例えばトランスポートストリーム等のストリームを図２のデコード部４０へ出力し、Ｐ２シンボルで送信されたＰ２送信情報（パイロットパターン情報、伝送モード情報、フレーム当たりのシンボル数、変調方法、ＦＥＣ符号の符号化率など）を制御情報として制御情報収集部８０へ出力する。
【０１２４】
制御情報収集部８０は、Ｐ１復調部１０３、ＧＩ判定部１０４、及び誤り訂正部１１０から収集した制御情報から送信パラメータを分類して復調中核部７０内の各部へ出力する。復調中核部７０内の各部は、必要に応じて制御情報収集部８０によって収集された制御情報を用いて動作する。
【０１２５】
なお、第１の実施の形態のＯＦＤＭ受信装置１では、図２及び図３で説明した各部のうち復調部３０内のＰ１復調部１０３が従来技術と大きく異なる。
【０１２６】
以下、図３のＰ１復調部１０３について図４を参照して説明する。
【０１２７】
図４は図３のＰ１復調部１０３の構成図である。Ｐ１復調部１０３は、Ｐ１位置検出部１５１と、Ｐ１狭帯域ｆｃ誤差検出補正部１５２と、Ｐ１直交変換部１５３Ｕと、Ｐ１直交変換部１５３Ｇと、ＣＤＳテーブル生成部１５４と、Ｐ１広帯域ｆｃ誤差検出補正部１５５と、Ｐ１デコード部１５６とを備える。
【０１２８】
Ｐ１位置検出部１５１には、図３のｆｃ補正部１０２の出力信号（時間領域の複素ベースバンド信号）が入力される。Ｐ１位置検出部１５１は、入力された時間領域の複素ベースバンド信号を用いて、Ｐ１シンボルのガードインターバル区間（前ガードインターバル区間、後ガードインターバル区間）の信号とＰ１シンボルの有効シンボル区間の所定の部分の信号との相関（ガード相関）を算出していく。そして、Ｐ１位置検出部１５１は、算出した相関値をガードインターバル区間（前ガードインターバル区間、後ガードインターバル区間）の時間幅で区間積分していき、区間積分値のピークを検出することによって入力された複素ベースバンド信号でのＰ１シンボルの位置を検出する。
【０１２９】
但し、相関の算出処理は、送信側で付加されたｆＳＨ分の周波数シフトを考慮して行われる。所定の部分とは、前ガードインターバル区間に対しては、有効シンボル区間内の前部分であり、後ガードインターバル区間に対しては、有効シンボル区間内の後ろ部分である（図２８参照）。なお、後述するＰ１狭帯域ｆｃ誤差検出補正部１５２による相関の算出処理においても同様である。
【０１３０】
Ｐ１狭帯域ｆｃ誤差検出補正部１５２は、Ｐ１シンボルのガードインターバル区間（前ガードインターバル区間、後ガードインターバル区間）の信号と有効シンボル区間の所定の部分の信号との相関（ガード相関）を算出していく。そして、Ｐ１狭帯域ｆｃ誤差検出補正部１５２は、算出した相関値をガードインターバル区間（前ガードインターバル区間、後ガードインターバル区間）の時間幅で区間積分していき、区間積分値の位相を算出していく。Ｐ１狭帯域ｆｃ誤差検出補正部１５２は、Ｐ１位置検出部１５１により検出されたＰ１シンボルの位置のタイミングでの位相の値を基にＰ１シンボルのサブキャリア間隔以内の周波数誤差量（狭帯域キャリア周波数誤差量）を検出する。Ｐ１狭帯域ｆｃ誤差検出補正部１５２は、検出した狭帯域キャリア周波数誤差量に基づいて、Ｐ１シンボルの狭帯域キャリア周波数のずれを補正し、狭帯域キャリア周波数のずれが補正されたＰ１シンボルをＰ１直交変換部１５３Ｕ及びＰ１直交変換部１５３Ｇへ出力する。また、Ｐ１狭帯域ｆｃ誤差検出補正部１５２は、検出した狭帯域キャリア周波数誤差量を図３のｆｃ補正部１０２へ出力する。
【０１３１】
Ｐ１直交変換部１５３Ｕには、Ｐ１狭帯域ｆｃ誤差検出補正部１５２の出力信号（Ｐ１シンボルの時間領域の複素ベースバンド信号）が入力される。Ｐ１直交変換部１５３Ｕは、図５に示すように、Ｐ１シンボルから有効シンボル区間の信号（図５の有効シンボル（Ａ）の信号）を切り出し、切り出した有効シンボル区間の信号（時間領域の複素ベースバンド信号）を直交変換し、直交変換の結果（周波数領域の複素ベースバンド信号）をＰ１広帯域ｆｃ誤差検出補正部１５５へ出力する。なお、Ｐ１直交変換部１５３Ｕは、フーリエ変換、コサイン変換、ウェーブレット変換、アダマール変換などに基づいて直交変換を行う。
【０１３２】
ここでは、一例として、Ｐ１直交変換部１５３Ｕは、フーリエ変換を用いて直交変換を行うものとし、フーリエ変換にＦＦＴを用いるものとする。Ｐ１直交変換部１５３Ｕは、Ｐ１シンボルの有効シンボル区間の信号（時間領域の複素ベースバンド信号）に対してＦＦＴサイズ１ｋでＦＦＴを実施し、ＦＦＴの結果（周波数領域の複素ベースバンド信号）をＰ１広帯域ｆｃ誤差検出補正部１５５へ出力する。なお、Ｐ１直交変換部１５３Ｕの処理はこれに限定されるものではない。
【０１３３】
但し、Ｐ１直交変換部１５３ＵがＰ１狭帯域ｆｃ誤差検出補正部１５２の出力信号から切り出して直交変換を実施する有効シンボル区間の信号には、マルチパス干渉環境下等では、直交変換対象のＰ１シンボルの主波の有効シンボル区間の信号成分に加え、当該直交変換対象のＰ１シンボルの先行波の後ガードインターバル区間又は遅延波の前ガードインターバル区間の信号成分が含まれることがあり、更に、他のＯＦＤＭシンボル（例えば、データシンボル）の信号成分が含まれることがある。また、Ｐ１直交変換部１５３ＵがＰ１狭帯域ｆｃ誤差検出補正部１５２の出力信号から切り出して直交変換を実施する有効シンボル区間の信号には、ノイズ環境下等では、ノイズ成分が含まれる。
【０１３４】
Ｐ１直交変換部１５３Ｇには、Ｐ１狭帯域ｆｃ誤差検出補正部１５２の出力信号（Ｐ１シンボルの時間領域の複素ベースバンド信号）が入力される。Ｐ１直交変換部１５３Ｇは、図５に示すように、Ｐ１シンボルから前ガードインターバル区間の信号（図５のガードインターバル（Ｃ）の信号）及び後ガードインターバル区間の信号（図５のガードインターバル（Ｂ）の信号）を切り出し、時間的に連続となるようにそれらを結合する。なお、前ガードインターバル区間と後ガードインターバル区間とを結合した区間を、「結合ガードインターバル区間」と呼ぶことにする。そして、Ｐ１直交変換部１５３Ｇは、結合ガードインターバル区間の信号（時間領域の複素ベースバンド信号）を直交変換し、直交変換の結果（周波数領域の複素ベースバンド信号）をＰ１広帯域ｆｃ誤差検出補正部１５５へ出力する。なお、Ｐ１直交変換部１５３Ｇは、フーリエ変換、コサイン変換、ウェーブレット変換、アダマール変換などに基づいて直交変換を行う。
【０１３５】
ここでは、一例として、Ｐ１直交変換部１５３Ｇは、フーリエ変換を用いて直交変換を行うものとし、フーリエ変換にＦＦＴを用いるものとする。Ｐ１直交変換部１５３Ｇは、結合ガードインターバル区間の信号（時間領域の複素ベースバンド信号）に対してＦＦＴサイズ１ｋでＦＦＴを実施し、ＦＦＴの結果（周波数領域の複素ベースバンド信号）をＰ１広帯域ｆｃ誤差検出補正部１５５へ出力する。なお、Ｐ１直交変換部１５３Ｇの処理はこれに限定されるものではない。
【０１３６】
但し、Ｐ１直交変換部１５３ＧがＰ１狭帯域ｆｃ誤差検出補正部１５２の出力信号から切り出して直交変換する結合ガードインターバル区間の信号には、直交変換対象のＰ１シンボルの主波の結合ガードインターバル区間の信号成分に加え、当該直交変換対象のＰ１シンボルの先行波又は遅延波の有効シンボル区間の信号成分が含まれることがあり、更に、他のＯＦＤＭシンボル（例えば、データシンボル）の信号成分が含まれることがある。また、Ｐ１直交変換部１５３ＧがＰ１狭帯域ｆｃ誤差検出補正部１５２の出力信号から切り出して直交変換を実施する結合ガードインターバル区間の信号には、ノイズ環境下等では、ノイズ成分が含まれる。
【０１３７】
ＣＤＳテーブル生成部１５４は、Ａｃｔｉｖｅキャリアの位置を示す系列（Ａｃｔｉｖｅキャリアの配置系列）を生成し、生成したＡｃｔｉｖｅキャリアの配置系列をＰ１広帯域ｆｃ誤差検出補正部１５５へ出力する。ここで、Ａｃｔｉｖｅキャリアの配置系列は、図３２に示すＡｃｔｉｖｅキャリアの位置を「１」とし、それ以外のＮｕｌｌキャリア（Ｕｎｕｓｅｄキャリア）の位置を「０」とした系列である。
【０１３８】
なお、ＣＤＳテーブル生成部１５４は、例えば、図３２に示す内容のテーブルを予め保持しておき、そのテーブルを基にＡｃｔｉｖｅキャリアの配置系列を生成するようにしてもよく、また、論理回路で構成してＡｃｔｉｖｅキャリアの配置系列を生成するようにしてもよい。なお、ＣＤＳテーブル生成部１５４によるＡｃｔｉｖｅキャリアの配置系列の生成方法は特に限定されるものではない。
【０１３９】
Ｐ１広帯域ｆｃ誤差検出補正部１５５は、Ｐ１直交変換部１５３Ｕの出力信号（Ｐ１シンボルの有効シンボル区間の周波数領域の複素ベースバンド信号）及びＰ１直交変換部１５３Ｇの出力信号（Ｐ１シンボルの結合ガードインターバル区間の周波数領域の複素ベースバンド信号）と、ＣＤＳテーブル生成部１５４から入力されたＡｃｔｉｖｅキャリアの配置系列とを用いて、Ｐ１シンボルのサブキャリア間隔単位の周波数誤差量（広帯域キャリア周波数誤差量）を検出する。そして、Ｐ１広帯域ｆｃ誤差検出補正部１５５は、検出した広帯域キャリア周波数誤差量に基づいて、Ｐ１シンボルの広帯域キャリア周波数のずれを補正し、広帯域キャリア周波数のずれが補正されたＰ１シンボルからＡｃｔｉｖｅキャリアのみを抽出してＰ１デコード部１５６へ出力する。Ｐ１広帯域ｆｃ誤差検出補正部１５５は、検出した広帯域キャリア周波数誤差量を図３のｆｃ補正部１０２へ出力する。なお、Ｐ１広帯域ｆｃ誤差検出補正部１５５の詳細については図６を参照して後述する。
【０１４０】
Ｐ１デコード部１５６は、Ｐ１広帯域ｆｃ誤差検出補正部１５５から入力されたＰ１シンボルのＡｃｔｉｖｅキャリアを用いて、Ｐ１シンボルのデコード処理を実施し、Ｐ１シンボルで送信されたＰ１送信情報を制御情報として図３の制御情報収集部８０へ出力する。なお、Ｐ１デコード部１５６の詳細については図７を参照して後述する。
【０１４１】
以下、図４のＰ１広帯域ｆｃ誤差検出補正部１５５について図６を参照しつつ説明する。図６は図４のＰ１広帯域ｆｃ誤差検出補正部１５５の構成図である。なお、図６には、Ｐ１広帯域ｆｃ誤差検出補正部１５５の各部への入力を明確にするため、Ｐ１直交変換部１５３Ｕ、Ｐ１直交変換部１５３Ｇ及びＣＤＳテーブル生成部１５４も図示している。
【０１４２】
Ｐ１広帯域ｆｃ誤差検出補正部１５５は、検出部１７０と補正部１８０とを備える。
【０１４３】
検出部１７０は、Ｐ１シンボルでのＰ１シンボルのサブキャリア間隔単位の周波数誤差量（広帯域キャリア周波数誤差量）の検出を行うものであり、複素乗算部１７１と、配置相関演算部（加算処理部）１７２と、電力算出部１７３と、最大値検出部１７４とを備える。
【０１４４】
複素乗算部１７１には、Ｐ１直交変換部１５３Ｕの出力信号（Ｐ１シンボルの有効シンボル区間の周波数領域の複素ベースバンド信号）と、Ｐ１直交変換部１５３Ｇの出力信号（Ｐ１シンボルの結合ガードインターバル区間の周波数領域の複素ベースバンド信号）が入力される。複素乗算部１７１は、サブキャリア毎に、下記の（数１６）に示すように、Ｐ１直交変換部１５３Ｕの出力信号ＹＵ（ｎ）とＰ１直交変換部１５３Ｇの出力信号ＹＧ（ｎ＋１）との複素乗算を実施し、複素乗算の結果ＹＣＯＭＢ（ｎ）を配置相関演算部１７２へ出力する。なお、ＹＵ（ｎ）、ＹＧ（ｎ＋１）、ＹＣＯＭＢ（ｎ）の（  ）内の変数はサブキャリア番号を表す（以下、同様）。
【０１４５】
【数１６】
2012060051.tif 000018
【０１４６】
なお、複素乗算部１７１は、上記の（数１６）の演算の代わりに、出力信号ＹＵ（ｎ）の複素共役の信号ＹＵ（ｎ）＊と出力信号ＹＧ（ｎ＋１）とを乗算して、乗算の結果ＹＵ（ｎ）＊・ＹＧ（ｎ＋１）を配置相関演算部１７２へ出力するようにしてもよい。
【０１４７】
ここで、前ガードインターバル区間の信号及び後ガードインターバル区間の信号は有効シンボル区間の信号をｆＳＨ分だけ周波数シフトしたもの（１サブキャリア分周波数が高くなるように周波数シフトしたもの）である。このため、Ｐ１直交変換部１５３Ｇの出力信号は、Ｐ１直交変換部１５３Ｕの出力信号に対して、１サブキャリア分高周波側にずれている。これを考慮し、Ｐ１直交変換部１５３Ｕの出力信号ＹＵ（ｎ）と、それより１サブキャリア分周波数が高いＰ１直交変換部１５３Ｇの出力信号ＹＧ（ｎ＋１）とを複素乗算している。
【０１４８】
配置相関演算部１７２には、ＣＤＳテーブル生成部１５４からＡｃｔｉｖｅキャリアの配置系列が入力されるとともに、複素乗算部１７１の出力信号が入力される。配置相関演算部１７２は、連続する複数のサブキャリアにおいてＡｃｔｉｖｅキャリアの配置系列の値が「１」であるサブキャリアでの複素乗算部１７１の出力信号の値を加算する加算処理を、連続する複数のサブキャリアを所定の範囲内でサブキャリア方向に１サブキャリア単位で順次シフトしながら実施する（配置相関演算部１７２は、複素乗算部１７１の出力信号とＡｃｔｉｖｅキャリアの配置系列との配置相関演算を、配置相関演算に使用する複素乗算部１７１の出力信号を所定の範囲内でサブキャリア方向に１サブキャリア単位で順次シフトしながら実施する）。配置相関演算部１７２は、加算処理の結果得られた加算値（配置相関の値）を順次電力算出部１７３へ出力する。
【０１４９】
具体的には、配置相関演算部１７２は、複素乗算部１７１の出力信号ＹＣＯＭＢ（０＋Ａ＋ｉ），ＹＣＯＭＢ（１＋Ａ＋ｉ），ＹＣＯＭＢ（２＋Ａ＋ｉ），・・・，ＹＣＯＭＢ（８５２＋Ａ＋ｉ）と、ＣＤＳテーブル生成部１５４の出力信号Ｃ（０），Ｃ（１），Ｃ（２），・・・，Ｃ（８５２）とを乗算し、乗算結果を加算する演算を行い、演算の結果Ｃ（０）×ＹＣＯＭＢ（０＋Ａ＋ｉ）＋Ｃ（１）×ＹＣＯＭＢ（１＋Ａ＋ｉ）＋Ｃ（２）×ＹＣＯＭＢ（２＋Ａ＋ｉ）＋・・・＋Ｃ（８５２）×ＹＣＯＭＢ（８５２＋Ａ＋ｉ）を電力算出部１７３へ出力する。
【０１５０】
但し、Ｃ（ｉ）は、サブキャリア位置ｉにおけるＡｃｔｉｖｅキャリアの配置系列の値（サブキャリア位置ｉがＡｃｔｉｖｅキャリアの場合「１」、Ｎｕｌｌキャリアの場合「０」）である（図３２参照）。また、ＹＣＯＭＢ（ｊ）は複素乗算部１７１の出力信号のサブキャリア番号ｊの値である。また、「８５２」は、図２９に示すようにＡｃｔｉｖｅキャリアとＮｕｌｌキャリアが配置されていることを踏まえた値であり、Ａｃｔｉｖｅキャリア及びＮｕｌｌキャリアを配置するサブキャリアの範囲に応じて適宜変更される値である。
【０１５１】
なお、配置相関演算部１７２は、ｉの値を所定の範囲（例えば、−Ｍ〜Ｎ；Ｍ，Ｎは正の整数；Ｍ＝Ｎの場合を含む。）内で１ずつ変更しながら、上記の演算を行う。なお、Ａは配置相関演算の基準位置であり、ＹＣＯＭＢ（０＋Ａ），ＹＣＯＭＢ（１＋Ａ），ＹＣＯＭＢ（２＋Ａ），・・・，ＹＣＯＭＢ（８５２＋Ａ）は、Ｐ１広帯域ｆｃ誤差検出補正部１５５への入力信号に広帯域キャリア周波数誤差量がないと仮定した場合に配置相関の電力の最大値を得る複素乗算部１７１の出力信号の集合である。
【０１５２】
電力算出部１７３は、配置相関演算部１７２から順次入力される配置相関の値から配置相関の電力を算出し、算出した配置相関の電力値を最大値検出部１７４へ出力する。
【０１５３】
最大値検出部１７４は、電力算出部１７３から順次入力される配置相関の電力値の中から最大の電力値の検出を行い、最大の電力値を得るシフト量をＰ１シンボルのサブキャリア間隔単位の周波数誤差量（広帯域キャリア周波数誤差量）として補正部１８０及び図３のｆｃ補正部１０２へ出力する。
【０１５４】
補正部１８０は、最大値検出部１７４から入力された広帯域キャリア周波数誤差量に基づいて、Ｐ１直交変換部１５３Ｕの出力信号（Ｐ１シンボルの有効シンボル区間の周波数領域の複素ベースバンド信号）の広帯域キャリア周波数のずれの補正を実施する。そして、補正部１８０は、ＣＤＳテーブル生成部１５４から入力されたＡｃｔｉｖｅキャリアの配置系列を利用して、広帯域キャリア周波数のずれが補正された周波数領域の複素ベースバンド信号から、Ａｃｔｉｖｅキャリアのみを抽出し、抽出したＡｃｔｉｖｅキャリアを図４のＰ１デコード部１５６（後述する図７のデスクランブル部１９１）へ出力する。
【０１５５】
以下、図４のＰ１デコード部１５６について図７を参照しつつ説明する。図７は図４のＰ１デコード部１５６の構成図である。Ｐ１デコード部１５６は、デスクランブル部１９１と、差動復調部１９２と、パターンマッチング部１９３とを備える。なお、Ｐ１デコード部１５６では、Ｐ１シンボルの低い周波数領域のＳ１信号のみを用いてＰ１シンボルのデコード処理を実施するものとする。
【０１５６】
デスクランブル部１９１には、図４のＰ１広帯域ｆｃ誤差検出補正部１５５（図６の補正部１８０）から、Ｐ１シンボルのＡｃｔｉｖｅキャリアの信号系列Ａｃｔが入力される。デスクランブル部１９１は、Ａｃｔｉｖｅキャリアの信号系列Ａｃｔに対して、上記の（数９）に示すデスクランブルを実施し、デスクランブルされた信号系列ＤＥＳＣＲを差動復調部１９２へ出力する。
【０１５７】
具体的には、デスクランブル部１９１は、送信側で乗算された、ＰＲＢＳに基づく信号ＰＲＢＳｉ（ｉ＝０，１，・・・，３１９）を用いて、Ａｃｔｉｖｅキャリアの信号系列Ａｃｔを構成する信号Ａｃｔｉに対して、上記の（数１０）に示すデスクランブルを実施し、デスクランブルされた信号ＤＥＳＣＲｉを差動復調部１９２へ出力する。
【０１５８】
差動復調部１９２には、デスクランブル部１９１からデスクランブルされた信号ＤＥＳＣＲｉ（ｉ＝０，１，・・・，３１９）が入力される。差動復調部１９２は、信号ＤＥＳＣＲｉ（ｉ＝１，２，・・・，３１９）と、１Ａｃｔｉｖｅキャリアずらした信号ＤＥＳＣＲｉ−１の共役複素の信号ＤＥＳＣＲ＊ｉ−１との複素乗算を実施することで差動検波を実施する。そして、差動復調部１９２は、差動検波の結果の実軸の極性から、信号ＤＥＳＣＲｉ・ＤＥＳＣＲ＊ｉ−１の復調（硬判定）を実施し、復調された信号ＤＥＭＯＤｉをパターンマッチング部１９３へ出力する。この差動復調部１９２の処理は、上記の（数１１）で表され、差動復調部１９２が実施する差動復調はＤＢＰＳＫに対応する復調である。但し、差動復調部１９２は、ｉ＝０は基準であるため、信号ＤＥＳＣＲ０の実軸の極性から復調（硬判定）を実施し、復調された信号ＤＥＭＯＤ０をパターンマッチング部１９３へ出力する。なお、硬判定として、信号ＤＥＳＣＲｉ・ＤＥＳＣＲ＊ｉ−１が「０」である場合、信号ＤＥＭＯＤｉを「０」として出力しているが、「１」として出力してもよい。
【０１５９】
パターンマッチング部１９３は、差動復調部１９２によって差動復調された信号ＤＥＭＯＤ０，ＤＥＭＯＤ１，・・・，ＤＥＭＯＤ３１９を、上記の（数１２）及び（数１３）に示すように、信号系列ＤＥＭＯＤ＿ＣＳＳＳ１（Ｓ１信号に対応）と信号系列ＤＥＭＯＤ＿ＣＳＳＳ２（Ｓ２信号に対応）とに分ける。
【０１６０】
そして、パターンマッチング部１９３は、図３１に示した系列ＣＳＳＳ１，ｋ（ｋ＝０，１，・・・，７）のうちどれが一番確からしいかを求めるために、また、図３１に示した系列ＣＳＳＳ２，ｋ（ｋ＝０，１，・・・，１５）のうちどれが一番確からしいかを求めるために、次の処理を行う。
【０１６１】
パターンマッチング部１９３は、上記の（数１４）に示すように、図３１の各系列ＣＳＳＳ１，ｋと系列ＤＥＭＯＤ＿ＣＳＳＳ１との相関ＣＯＲＲＳ１，ｋを求め、上記の（数１５）に示すように、図３１の各系列ＣＳＳＳ２，ｋと系列ＤＥＭＯＤ＿ＣＳＳＳ２との相関ＣＯＲＲＳ２，ｋを求める。
【０１６２】
そして、パターンマッチング部１９３は、上記の（数１４）を用いて算出された８個の相関値のうちの最大の相関値をとる系列ＣＳＳＳ１，ｋに対応する３ビットのＳ１信号（図３１参照）を送信されたＳ１信号と推定する。また、パターンマッチング部１９３は、上記の（数１５）を用いて算出された１６個の相関値のうちの最大の相関値をとる系列ＣＳＳＳ２，ｋに対応する４ビットのＳ２信号（図３１参照）を送信されたＳ２信号と推定する。パターンマッチング部１９３は、推定したＳ１信号とＳ２信号とを用いてＰ１送信情報を取得する。
【０１６３】
なお、Ｐ１デコード部１５６は、Ｐ１シンボルのデコード処理の際に、低い周波数領域のＳ１信号と周波数領域の高い周波数領域のＳ１信号のうち低い周波数領域のＳ１信号のみを利用しているが、これに限定されるものではなく、双方を利用するようにしてもよく、また、高い周波数領域のＳ１信号のみを利用するようにしてもよい。前者の場合には、周波数帯域の異なる２つのＳ１信号を用いてＳ１信号の推定を行うことができるので、Ｓ１信号の推定精度の向上が図られる。
【０１６４】
また、Ｐ１デコード部１５６内の差動復調部１９２は硬判定を実施するものとしたが、これに限定されるものではなく、硬判定を実施しなくてもよい。この場合、例えば、差動復調部１９２は差動検波の結果ＤＥＳＣＲｉ・ＤＥＳＣＲ＊ｉ−１をＤＥＭＯＤｉとしてパターンマッチング部１９３へ出力し（ｉ＝１，・・・，３１９）、ｉ＝０ではＤＥＳＣＲ０をＤＥＭＯＤ０としてパターンマッチング部１９３へ出力する。パターンマッチング１９３は、上記の（数１４）及び上記の（数１５）の代わりに、下記の（数１７）及び下記の（数１８）を用いて相関演算を実施する。
【０１６５】
【数１７】
2012060051.tif 000019
【０１６６】
【数１８】
2012060051.tif 000020
【０１６７】
また、ＤＶＢ−Ｔ２伝送規格を対象として説明しているため、Ｐ１デコード部１５６は差動復調後にパターンマッチングを実施するものとしているが、例えば、誤り訂正符号化されている伝送方式を対象とする場合には、差動復調後に誤り訂正を実施して、誤りの最も低いものを用いてデコード処理を実施するようにしてもよい。
【０１６８】
上記のＰ１復調部１０３での広帯域キャリア周波数誤差量の検出精度が向上する理由を記載する。
【０１６９】
上述したように、Ｐ１シンボルの前ガードインターバル区間の信号及び後ガードインターバル区間の信号は、Ｐ１シンボルの有効シンボル区間の信号に対して、１サブキャリア分周波数が高くなるように周波数シフトしたものである。つまり、Ｐ１シンボルの前ガードインターバル区間の信号及び後インターバル区間の信号の周波数位置は、Ｐ１シンボルの有効シンボル区間の信号の周波数位置に対して、１サブキャリア分周波数が高くなっている（図３７参照）。
【０１７０】
このため、ＯＦＤＭ受信装置１の受信信号に図８に示すような遅延波が存在した場合、Ｐ１シンボルの主波の有効シンボル区間を直交変換実施区間としてＰ１狭帯域ｆｃ誤差検出補正部１５２の出力信号を直交変換（例えば、ＦＦＴ）した結果得られた信号（Ｐ１直交変換部１５３Ｕの出力信号）の周波数領域のサブキャリア分布は、図９に示すようになる。また、Ｐ１シンボルの主波の結合ガードインターバル区間を直交変換実施区間としてＰ１狭帯域ｆｃ誤差検出補正部１５２の出力信号を直交変換（例えば、ＦＦＴ）した結果得られた信号（Ｐ１直交変換部１５３Ｇの出力信号）の周波数領域のサブキャリア分布は、図１０に示すようになる。
【０１７１】
図９に示すように、Ｐ１シンボルの主波の有効シンボル区間を直交変換実施区間とした場合、遅延波の前ガードインターバル区間の信号成分を含むため、主波のＡｃｔｉｖｅキャリアの１サブキャリア分高周波側に遅延波のＡｃｔｉｖｅキャリアが現れる。一方、図１０に示すように、Ｐ１シンボルの主波の結合ガードインターバル区間を直交変換実施区間とした場合、遅延波の有効シンボル区間の信号成分を含むため、主波のＡｃｔｉｖｅキャリアの１サブキャリア分低周波側に遅延波のＡｃｔｉｖｅキャリアが現れる。
【０１７２】
Ｐ１直交変換部１５３Ｇの周波数領域の出力信号は、Ｐ１直交変換部１５３Ｇの周波数領域の出力信号に対して全体的に１サブキャリアずれていることを考慮すると、両者間でＮｕｌｌキャリアに対する遅延波成分が現れるサブキャリア位置が異なる。
【０１７３】
このため、上記の（数１６）の演算を実施することで、Ａｃｔｉｖｅキャリアの信号成分は強めあい、Ｎｕｌｌキャリアの信号成分は弱めあうことになる。これにより、配置相関において、誤ったシフト量（広帯域キャリア周波数誤差量）における配置相関の値が大きくなることを抑制でき、正しいシフト量（広帯域キャリア周波数誤差量）を検出することができる。従って、マルチパス干渉環境下においても、広帯域キャリア周波数誤差量の推定を精度よく行って広帯域キャリア周波数誤差のずれの補正が実施でき、正しくＳ１信号及びＳ２信号を取得することができる。
【０１７４】
更に、複素共役演算を実施することによって、サブキャリア（Ａｃｔｉｖｅキャリア、Ｎｕｌｌキャリア）のパワーを算出することなく、Ａｃｔｉｖｅキャリアに付加されたＤＢＰＳＫされた信号の極性の不確かさを取り除くことができる。そして、パワー算出でないため、配置相関算出における各タップの積算の際に、様々な位相成分を有するノイズ成分を抑制することが可能となり、ノイズ環境下においても広帯域キャリア周波数誤差量の推定を精度よく行うことができる。
【０１７５】
≪第２の実施の形態≫
以下、本発明の第２の実施の形態について図面を参照しつつ説明する。但し、本実施の形態において、第１の実施の形態の構成要素と実質的に同じ構成要素には同じ符号を付し、その説明が適用できるため、本実施の形態ではその説明を省略する。
【０１７６】
本実施の形態のＯＦＤＭ受信装置は、第１の実施の形態で説明したＯＦＤＭ受信装置１のＰ１広帯域ｆｃ誤差検出補正部１５５と異なるＰ１広帯域ｆｃ誤差検出補正部２００を備える点で、ＯＦＤＭ受信装置１と異なる。但し、Ｐ１広帯域ｆｃ誤差検出補正部２００は、第１の実施の形態のＰ１広帯域ｆｃ誤差検出補正部１５５と広帯域キャリア周波数誤差量の検出の仕組みが異なる。
【０１７７】
以下、第２の実施の形態に係るＰ１広帯域ｆｃ誤差検出補正部２００について図１１を参照しつつ説明する。図１１はＰ１広帯域ｆｃ誤差検出補正部２００の構成図である。なお、図１１には、Ｐ１広帯域ｆｃ誤差検出補正部２００の各部への入力を明確にするため、Ｐ１直交変換部１５３Ｕ、Ｐ１直交変換部１５３Ｇ及びＣＤＳテーブル生成部１５４も図示している。
【０１７８】
Ｐ１広帯域ｆｃ誤差検出補正部２００は、検出部２１０と補正部１８０とを備える。
【０１７９】
検出部２１０は、Ｐ１シンボルでのＰ１シンボルのサブキャリア間隔単位の周波数誤差量（広帯域キャリア周波数誤差量）の検出を行うものであり、電力算出部２１１Ｕと、電力算出部２１１Ｇと、乗算部２１２と、配置相関演算部（加算処理部）２１３と、最大値検出部２１４とを備える。
【０１８０】
電力算出部２１１Ｕは、Ｐ１直交変換部１５３Ｕの出力信号（Ｐ１シンボルの有効シンボル区間の周波数領域の複素ベースバンド信号）の電力をサブキャリア毎に算出し、算出した電力値を乗算部２１２へ出力する。
【０１８１】
電力算出部２１１Ｇは、Ｐ１直交変換部１５３Ｇの出力信号（Ｐ１シンボルの結合ガードインターバル区間の周波数領域の複素ベースバンド信号）の電力をサブキャリア毎に算出し、算出した電力値を乗算部２１２へ出力する。
【０１８２】
乗算部２１２は、サブキャリア毎に、下記の（数１９）に示すように、電力算出部２１１Ｕの出力信号｜ＹＵ（ｎ）｜２と電力算出部２１１Ｇの出力信号｜ＹＧ（ｎ＋１）｜２との乗算を実施し、乗算の結果ＹＣＯＭＢ（ｎ）を配置相関演算部２１３へ出力する。
【０１８３】
【数１９】
2012060051.tif 000021
【０１８４】
ここで、前ガードインターバル区間の信号及び後ガードインターバル区間の信号は有効シンボル区間の信号をｆＳＨ分だけ周波数シフトしたもの（１サブキャリア分周波数が高くなるように周波数シフトしたもの）である。このため、電力算出部２１１Ｇの出力信号は、電力算出部２１１Ｕの出力信号に対して、１サブキャリア分高周波側にずれている。これを考慮し、電力算出部２１１Ｕの出力信号｜ＹＵ（ｎ）｜２と、それより１サブキャリア分周波数が高い電力算出部２１１Ｇの出力信号｜ＹＧ（ｎ＋１）｜２とを乗算している。
【０１８５】
配置相関演算部２１３には、ＣＤＳテーブル生成部１５４からＡｃｔｉｖｅキャリアの配置系列が入力されるとともに、乗算部２１２の出力信号ＹＣＯＭＢが入力される。配置相関演算部２１３は、連続する複数のサブキャリアにおいてＡｃｔｉｖｅキャリアの配置系列の値が「１」であるサブキャリアでの乗算部２１２の出力信号の値を加算する加算処理を、連続する複数のサブキャリアを所定の範囲内でサブキャリア方向に１サブキャリア単位で順次シフトしながら実施する（配置相関演算部２１３は、乗算部２１２の出力信号とＡｃｔｉｖｅキャリアの配置系列との配置相関演算を、配置相関演算に使用する乗算部２１２の出力信号を所定の範囲内でサブキャリア方向に１サブキャリア単位で順次シフトしながら実施する）。配置相関演算部２１３は、加算処理の結果得られた加算値（配置相関の値）を順次最大値検出部２１４へ出力する。
【０１８６】
最大値検出部２１４は、配置相関演算部２１３から順次入力される配置相関の値の中から最大の配置相関の値の検出を行い、最大の配置相関の値を得るシフト量をＰ１シンボルのサブキャリア間隔単位の周波数誤差量（広帯域キャリア周波数誤差量）として補正部１８０及び図３のｆｃ補正部１０２へ出力する。
【０１８７】
補正部１８０は、最大値検出部２１４から入力された広帯域キャリア周波数誤差量を用いて、Ｐ１直交変換部１５３Ｕの出力信号の広帯域キャリア周波数のずれの補正を行った上でＡｃｔｉｖｅキャリアの抽出を行う。
【０１８８】
本実施の形態によれば、マルチパス干渉環境下において、広帯域キャリア周波数誤差量の推定を精度よく行って広帯域キャリア周波数誤差のずれの補正が実施でき、正しくＳ１信号及びＳ２信号を取得することができる。
【０１８９】
≪第３の実施の形態≫
以下、本発明の第３の実施の形態について図面を参照しつつ説明する。但し、本実施の形態において、第１から第２の実施の形態の構成要素と実質的に同じ構成要素には同じ符号を付し、その説明が適用できるため、本実施の形態ではその説明を省略する。
【０１９０】
本実施の形態のＯＦＤＭ受信装置は、第１及び第２の実施の形態で説明したＯＦＤＭ受信装置のＰ１広帯域ｆｃ誤差検出補正部１５５，２００と異なるＰ１広帯域ｆｃ誤差検出補正部２５０を備える点で、それらのＯＦＤＭ受信装置と異なる。但し、Ｐ１広帯域ｆｃ誤差検出補正部２５０は、第１及び第２の実施の形態のＰ１広帯域ｆｃ誤差検出補正部１５５，２００と広帯域キャリア周波数誤差量の検出の仕組みが異なる。
【０１９１】
以下、第３の実施の形態に係るＰ１広帯域ｆｃ誤差検出補正部２５０について図１２を参照しつつ説明する。図１２はＰ１広帯域ｆｃ誤差検出補正部２５０の構成図である。なお、図１２には、Ｐ１広帯域ｆｃ誤差検出補正部２５０の各部への入力を明確にするため、Ｐ１直交変換部１５３Ｕ、Ｐ１直交変換部１５３Ｇ及びＣＤＳテーブル生成部１５４も図示している。
【０１９２】
Ｐ１広帯域ｆｃ誤差検出補正部２５０は、検出部２７０と補正部１８０とを備える。
【０１９３】
検出部２７０は、Ｐ１シンボルでのＰ１シンボルのサブキャリア間隔単位の周波数誤差量（広帯域キャリア周波数誤差量）の検出を行うものであり、振幅算出部２７１Ｕと、振幅算出部２７１Ｇと、乗算部２７２と、配置相関演算部（加算処理部）２７３と、最大値検出部２７４とを備える。
【０１９４】
振幅算出部２７１Ｕは、Ｐ１直交変換部１５３Ｕの出力信号（Ｐ１シンボルの有効シンボル区間の周波数領域の複素ベースバンド信号）の振幅をサブキャリア毎に算出し、算出した振幅値を乗算部２７２へ出力する。
【０１９５】
振幅算出部２７１Ｇは、Ｐ１直交変換部１５３Ｇの出力信号（Ｐ１シンボルの結合ガードインターバル区間の周波数領域の複素ベースバンド信号）の振幅をサブキャリア毎に算出し、算出した振幅値を乗算部２７２へ出力する。
【０１９６】
乗算部２７２は、サブキャリア毎に、下記の（数２０）に示すように、振幅算出部２７１Ｕの出力信号｜ＹＵ（ｎ）｜と振幅算出部２７１Ｇの出力信号｜ＹＧ（ｎ＋１）｜とを乗算し、乗算の結果ＹＣＯＭＢ（ｎ）を配置相関演算部２７３へ出力する。
【０１９７】
【数２０】
2012060051.tif 000022
【０１９８】
ここで、前ガードインターバル区間の信号及び後ガードインターバル区間の信号は有効シンボル区間の信号をｆＳＨ分だけ周波数シフトしたもの（１サブキャリア分周波数が高くなるように周波数シフトしたもの）である。このため、振幅算出部２７１Ｇの出力信号は、振幅算出部２７１Ｕの出力信号に対して、１サブキャリア分高周波側にずれている。これを考慮し、振幅算出部２７１Ｕの出力信号｜ＹＵ（ｎ）｜と、それより１サブキャリア分周波数が高い振幅算出部２７１Ｇの出力信号｜ＹＧ（ｎ＋１）｜とを乗算している。
【０１９９】
配置相関演算部２７３には、ＣＤＳテーブル生成部１５４からＡｃｔｉｖｅキャリアの配置系列が入力されるとともに、乗算部２７２の出力信号ＹＣＯＭＢが入力される。配置相関演算部２７３は、連続する複数のサブキャリアにおいてＡｃｔｉｖｅキャリアの配置系列の値が「１」であるサブキャリアでの乗算部２７２の出力信号の値を加算する加算処理を、連続する複数のサブキャリアを所定の範囲内でサブキャリア方向に１サブキャリア単位で順次シフトしながら実施する（配置相関演算部２７３は、乗算部２７２の出力信号とＡｃｔｉｖｅキャリアの配置系列との配置相関演算を、配置相関演算に使用する乗算部２７２の出力信号を所定の範囲内でサブキャリア方向に１サブキャリア単位で順次シフトしながら実施する）。配置相関演算部２７３は、加算処理の結果得られた加算値（配置相関の値）を順次最大値検出部２７４へ出力する。
【０２００】
最大値検出部２７４は、配置相関演算部２７３から順次入力される配置相関の値の中から最大の配置相関の値の検出を行い、最大の配置相関の値を得るシフト量をＰ１シンボルのサブキャリア間隔単位の周波数誤差量（広帯域キャリア周波数誤差量）として補正部１８０及び図３のｆｃ補正部１０２へ出力する。
【０２０１】
補正部１８０は、最大値検出部２７４から入力された広帯域キャリア周波数誤差量を用いて、Ｐ１直交変換部１５３Ｕの出力信号の広帯域キャリア周波数のずれの補正を行った上でＡｃｔｉｖｅキャリアの抽出を行う。
【０２０２】
本実施の形態によれば、マルチパス干渉環境下において、広帯域キャリア周波数誤差量の推定を精度よく行って広帯域キャリア周波数誤差のずれの補正が実施でき、正しくＳ１信号及びＳ２信号を取得することができる。
【０２０３】
≪第４の実施の形態≫
以下、本発明の第４の実施の形態について図面を参照しつつ説明する。但し、本実施の形態において、第１から第３の実施の形態の構成要素と実質的に同じ構成要素には同じ符号を付し、その説明が適用できるため、本実施の形態ではその説明を省略する。
【０２０４】
本実施の形態のＯＦＤＭ受信装置は、第１から第３の実施の形態で説明したＯＦＤＭ受信装置のＰ１広帯域ｆｃ誤差検出補正部１５５などと異なるＰ１広帯域ｆｃ誤差検出補正部３００を備える点で、それらのＯＦＤＭ受信装置と異なる。但し、Ｐ１広帯域ｆｃ誤差検出補正部３００は、Ｐ１広帯域ｆｃ誤差検出補正部１５５などと広帯域キャリア周波数誤差量の検出の仕組みが異なる。
【０２０５】
以下、第４の実施の形態に係るＰ１広帯域ｆｃ誤差検出補正部３００について図１３を参照しつつ説明する。図１３はＰ１広帯域ｆｃ誤差検出補正部３００の構成図である。なお、図１３には、Ｐ１広帯域ｆｃ誤差検出補正部３００の各部への入力を明確にするため、Ｐ１直交変換部１５３Ｕ、Ｐ１直交変換部１５３Ｇ及びＣＤＳテーブル生成部１５４も図示している。
【０２０６】
Ｐ１広帯域ｆｃ誤差検出補正部３００は、検出部３１０と補正部１８０とを備える。
【０２０７】
検出部３１０は、Ｐ１シンボルでのＰ１シンボルのサブキャリア間隔単位の周波数誤差量（広帯域キャリア周波数誤差量）の検出を行うものであり、複素乗算部１７１と、配置相関演算部（加算処理部）１７２と、電力算出部１７３と、電力算出部２１１Ｕと、配置相関演算部（加算処理部）３１１Ｕと、電力算出部２１１Ｇと、配置相関演算部（加算処理部）３１１Ｇと、選択決定部３１２とを備える。
【０２０８】
複素乗算部１７１、配置相関演算部１７２及び電力算出部１７３は上述した処理を実施し、電力算出部１７３の出力信号（配置相関の電力値）は選択決定部３１２（後述する図１４の最大値検出部３３１及び信頼度検出部３３２）に供給される。
【０２０９】
電力算出部２１１Ｕは上述した処理を実施し、電力算出部２１１Ｕの出力信号は配置相関演算部３１１Ｕに供給される。
【０２１０】
配置相関演算部３１１Ｕには、ＣＤＳテーブル生成部１５４からＡｃｔｉｖｅキャリアの配置系列が入力されるとともに、電力算出部２１１Ｕの出力信号｜ＹＵ｜２が入力される。配置相関演算部３１１Ｕは、連続する複数のサブキャリアにおいてＡｃｔｉｖｅキャリアの配置系列の値が「１」であるサブキャリアでの電力算出部２１１Ｕの出力信号の値を加算する加算処理を、連続する複数のサブキャリアを所定の範囲内でサブキャリア方向に１サブキャリア単位で順次シフトしながら実施する（配置相関演算部３１１Ｕは、電力算出部２１１Ｕの出力信号とＡｃｔｉｖｅキャリアの配置系列との配置相関演算を、配置相関演算に使用する電力算出部２１１Ｕの出力信号を所定の範囲内でサブキャリア方向に１サブキャリア単位で順次シフトしながら実施する）。配置相関演算部３１１Ｕは、加算処理の結果得られた加算値（配置相関の値）を選択決定部３１２（後述する図１４の最大値検出部３３１Ｕ及び信頼度検出部３３２Ｕ）へ出力する。
【０２１１】
電力算出部２１１Ｇは上述した処理を実施し、電力算出部２１１Ｇの出力信号は配置相関演算部３１１Ｇに供給される。
【０２１２】
配置相関演算部３１１Ｇには、ＣＤＳテーブル生成部１５４からＡｃｔｉｖｅキャリアの配置系列が入力されるとともに、電力算出部２１１Ｇの出力信号｜ＹＧ｜２が入力される。配置相関演算部３１１Ｇは、連続する複数のサブキャリアにおいてＡｃｔｉｖｅキャリアの配置系列の値が「１」であるサブキャリアでの電力算出部２１１Ｇの出力信号の値を加算する加算処理を、連続する複数のサブキャリアを所定の範囲内でサブキャリア方向に１サブキャリア単位で順次シフトしながら実施する（配置相関演算部３１１Ｇは、電力算出部２１１Ｇの出力信号とＡｃｔｉｖｅキャリアの配置系列との配置相関演算を、配置相関演算に使用する電力算出部２１１Ｇの出力信号を所定の範囲内でサブキャリア方向に１サブキャリア単位で順次シフトしながら実施する）。配置相関演算部３１１Ｇは、加算処理の結果得られた加算値（配置相関の値）を選択決定部３１２（後述する図１４の最大値検出部３３１Ｇ及び信頼度検出部３３２Ｇ）へ出力する。
【０２１３】
選択決定部３１２は、図１４を参照して後述するように、電力算出部１７３の出力信号、配置相関演算部３１１Ｕの出力信号、及び配置相関演算部３１１Ｇの出力信号を用いて、Ｐ１シンボルのサブキャリア間隔単位の周波数誤差量（広帯域キャリア周波数誤差量）を検出し、検出した広帯域キャリア周波数誤差量を図３のｆｃ補正部１０２及び補正部１８０へ出力する。
【０２１４】
補正部１８０は、選択決定部３１２から入力された広帯域キャリア周波数誤差量を用いて、Ｐ１直交変換部１５３Ｕの出力信号の広帯域キャリア周波数のずれの補正を行った上でＡｃｔｉｖｅキャリアの抽出を行う。
【０２１５】
以下、図１３の選択決定部３１２について図１４を参照しつつ説明する。図１４は図１３の選択決定部３１２の構成図である。なお、図１４には、選択決定部３１２の各部への入力を明確にするため、電力算出部１７３、配置相関演算部３１１Ｕ及び配置相関演算部３１１Ｇも図示している。
【０２１６】
選択決定部３１２は、最大値検出部３３１と、信頼度検出部３３２と、最大値検出部３３１Ｕと、信頼度検出部３３２Ｕと、最大値検出部３３１Ｇと、信頼度検出部３３２Ｇと、判定部３３３と、選択部３３４とを備える。
【０２１７】
最大値検出部３３１は、電力算出部１７３から順次入力される配置相関の電力値の中から最大の電力値の検出を行い、最大の電力値を得るシフト量をＰ１シンボルのサブキャリア間隔単位の周波数誤差量の候補（広帯域キャリア周波数誤差量の第１候補）として選択部３３４へ出力する。
【０２１８】
信頼度検出部３３２は、電力算出部１７３から順次入力される配置相関の電力値の中から最大の電力値と２番目に大きい電力値を検出し、最大の電力値を２番目に大きい電力値で除算し、除算値（最大の電力値÷２番目に大きい電力値）を広帯域キャリア周波数誤差量の第１候補の信頼度として判定部３３３へ出力する。
【０２１９】
最大値検出部３３１Ｕは、配置相関演算部３１１Ｕから順次入力される配置相関の値から最大の配置相関の値の検出を行い、最大の配置相関の値を得るシフト量をＰ１シンボルのサブキャリア間隔単位の周波数誤差量の候補（広帯域キャリア周波数誤差量の第２候補）として選択部３３４へ出力する。
【０２２０】
信頼度検出部３３２Ｕは、配置相関演算部３１１Ｕから順次入力される配置相関の値から最大の配置相関の値と２番目に大きい配置相関の値を検出し、最大の配置相関の値を２番目に大きい配置相関の値で除算し、除算値（最大の配置相関の値÷２番目に大きい配置相関の値）を広帯域キャリア周波数誤差量の第２候補の信頼度として判定部３３３へ出力する。
【０２２１】
最大値検出部３３１Ｇは、配置相関演算部３１１Ｇから順次入力される配置相関の値から最大の配置相関の値の検出を行い、最大の配置相関の値を得るシフト量より１大きいシフト量をＰ１シンボルのサブキャリア間隔単位の周波数誤差量の候補（広帯域キャリア周波数誤差量の第３候補）として選択部３３４へ出力する。ここで、最大の配置相関の値を得るシフト量より１大きいシフト量を広帯域キャリア周波数誤差量の第３候補とするのは、補正部１８０が広帯域キャリア周波数誤差のずれの補正を実施する対象が有効シンボル区間に関する信号であり、ガードインターバル区間の信号は有効シンボル区間の信号より１サブキャリア分周波数が高い方にシフトされていることによる。なお、例えば、直交変換部１５３Ｇの前段又は後段においてガードインターバル区間の信号に対して−ｆＳＨの周波数シフトを施している場合には（１サブキャリア分周波数が低くなるように周波数シフトを施している場合には）、最大値検出部３３１Ｇは、最大の配置相関の値を得るシフト量を広帯域キャリア周波数誤差量の第３候補として選択部３３４へ出力すればよい。
【０２２２】
信頼度検出部３３２Ｇは、配置相関演算部３１１Ｇから順次入力される配置相関の値から最大の配置相関の値と２番目に大きい配置相関の値を検出し、最大の配置相関の値を２番目に大きい配置相関の値で除算し、除算値（最大の配置相関の値÷２番目に大きい配置相関の値）を広帯域キャリア周波数誤差量の第３候補の信頼度として判定部３３３へ出力する。
【０２２３】
判定部３３３は、信頼度検出部３３２、信頼度検出部３３２Ｕ及び信頼度検出部３３２Ｇの夫々から入力される広帯域キャリア周波数誤差量の第１候補の信頼度、第２候補の信頼度及び第３候補の信頼度を比較し、広帯域キャリア周波数誤差量の第１候補、第２候補及び第３候補の中から最も信頼度が高い（信頼度の値が最も大きい）広帯域キャリア周波数誤差量の候補を検出する。そして、判定部３３３は、最も信頼度が高い広帯域キャリア周波数誤差量の候補を選択部３３４へ通知する。
【０２２４】
ここで、配置相関演算では、正しいサブキャリア位置では全てのＡｃｔｉｖｅキャリアの加算値となり、誤ったサブキャリア位置ではＡｃｔｉｖｅキャリアの一部とＮｕｌｌキャリアの一部との加算値となる。このため、正しサブキャリア位置での配置相関の電力値又は配置相関の値が最大となり、２番目に大きい配置相関の電力値又は配置相関の値より大きくなる。なお、誤ったサブキャリア位置で最もＡｃｔｉｖｅキャリアを多く含む位置では、Ａｃｔｉｖｅキャリアの全数の半分を含むことになる。このため、信頼度の高い信号では、最大値が２番目に大きい値よりも非常に大きくなり、結果、最大値を２番目に大きな値で割った除算値（信頼度）は１よりもかなり大きくなる。一方、ノイズやインパルス雑音、マルチパス干渉等の外乱の影響を受けた場合、配置相関の電力の最大値又は配置相関の最大値が小さくなり、また、Ｎｕｌｌキャリアの信号成分が大きくなることに起因して２番目に大きな配置相関の電力値又は配置相関の値が大きくなり、最大値と２番目に大きな値との差が小さくなったり、間違ったシフト量で最大値をとってしまったりする。これらの場合は、最大値を２番目に大きな値で割った除算値（信頼度）は１に近い値となる。このことを踏まえ、除算値の大きさにより、広帯域キャリア周波数誤差量の検出の信頼度の推定を行うものである。
【０２２５】
選択部３３４は、判定部３３３の通知に従い、最大値検出部３３１、最大値検出部３３１Ｕ及び最大値検出部３３１Ｇの夫々から入力される広帯域キャリア周波数誤差量の第１候補、第２候補及び第３候補の中から最も信頼度が高い広帯域キャリア周波数誤差量の候補を選択して、選択した広帯域キャリア周波数誤差量の候補を補正に利用する広帯域キャリア周波数誤差量として図３のｆｃ補正部１０２及び図１３の補正部１８０へ出力する。
【０２２６】
なお、複素乗算部１７１、配置相関演算部１７２、電力算出部１７３、最大値検出部３３１及び信頼度検出部３３２が、直交変換部１５３Ｕの出力信号と直交変換部１５３Ｇの出力信号との双方を用いて広帯域キャリア周波数誤差量の第１候補を検出し、第１候補の信頼度を検出する第１検出処理を実行するブロックである。
【０２２７】
また、電力算出部２１１Ｕ、配置相関演算部３１１Ｕ、最大値検出部３３１Ｕ及び信頼度検出部３３２Ｕが、直交変換部１５３Ｕの出力信号及び直交変換部１５３Ｇの出力信号のうち直交変換部１５３Ｕの出力信号のみを用いて広帯域キャリア周波数誤差量の第２候補を検出し、第２候補の信頼度を検出する第２検出処理を実行するブロックである。
【０２２８】
更に、電力算出部２１１Ｇ、配置相関演算部３１１Ｇ、最大値検出部３３１Ｇ及び信頼度検出部３３２Ｇが、直交変換部１５３Ｕの出力信号及び直交変換部１５３Ｇの出力信号のうち直交変換部１５３Ｇの出力信号のみを用いて広帯域キャリア周波数誤差量の第３候補を検出し、第３候補の信頼度を検出する第３検出処理を実行するブロックである。
【０２２９】
本実施の形態よれば、（１）有効シンボル区間の信号及び結合ガードインターバル区間の信号の双方を利用した広帯域キャリア周波数誤差量の第１候補の検出、（２）有効シンボル区間の信号のみを利用した広帯域キャリア周波数誤差量の第２候補の検出、（３）結合ガードインターバル区間の信号のみを利用した広帯域キャリア周波数誤差量の第３候補の検出、を実施して、これら３つの検出結果を利用して広帯域キャリア周波数誤差量の検出を行う。これにより、マルチパス干渉環境やノイズ環境下だけでなく、前ガードインターバル区間、後ガードインターバル区間、有効シンボル区間において局所的にインパルス雑音が存在した環境下においても、広帯域キャリア周波数誤差量の誤推定を低減して、受信性能の向上を図ることができる。
【０２３０】
≪第５の実施の形態≫
以下、本発明の第５の実施の形態について図面を参照しつつ説明する。但し、本実施の形態において、第１から第４の実施の形態の構成要素と実質的に同じ構成要素には同じ符号を付し、その説明が適用できるため、本実施の形態ではその説明を省略する。
【０２３１】
本実施の形態のＯＦＤＭ受信装置は、第１から第４の実施の形態で説明したＯＦＤＭ受信装置のＰ１広帯域ｆｃ誤差検出補正部１５５などと異なるＰ１広帯域ｆｃ誤差検出補正部３５０を備える点で、それらのＯＦＤＭ受信装置と異なる。但し、Ｐ１広帯域ｆｃ誤差検出補正部３５０は、Ｐ１広帯域ｆｃ誤差検出補正部１５５などと広帯域キャリア周波数誤差量の検出の仕組みが異なる。
【０２３２】
以下、第５の実施の形態に係るＰ１広帯域ｆｃ誤差検出補正部３５０について図１５を参照しつつ説明する。図１５はＰ１広帯域ｆｃ誤差検出補正部３５０の構成図である。なお、図１５には、Ｐ１広帯域ｆｃ誤差検出補正部３５０の各部への入力を明確にするため、Ｐ１直交変換部１５３Ｕ、Ｐ１直交変換部１５３Ｇ及びＣＤＳテーブル生成部１５４も図示している。
【０２３３】
Ｐ１広帯域ｆｃ誤差検出補正部３５０は、検出部３７０と補正部１８０とを備える。
【０２３４】
検出部３７０は、Ｐ１シンボルでのＰ１シンボルのサブキャリア間隔単位の周波数誤差量（広帯域キャリア周波数誤差量）の検出を行うものであり、電力算出部２１１Ｕと、電力算出部２１１Ｇと、乗算部２１２と、配置相関演算部（加算処理部）２１３と、配置相関演算部（加算処理部）３１１Ｕと、配置相関演算部（加算処理部）３１１Ｇと、選択決定部３７１とを備える。
【０２３５】
電力算出部２１１Ｕ、電力算出部２１１Ｇ及び配置相関演算部２１３は上述した処理を実施し、配置相関演算部２１３の出力信号（配置相関の値）は選択決定部３７１（後述する図１６の最大値検出部３９１及び信頼度検出部３９２）に供給される。
【０２３６】
電力算出部２１１Ｕ及び配置相関演算部３１１Ｕは上述した処理を実施し、配置相関演算部３１１Ｕの出力信号（配置相関の値）は選択決定部３７１（後述する図１６の最大値検出部３３１Ｕ及び信頼度検出部３３２Ｕ）に供給される。
【０２３７】
電力算出部２１１Ｇ及び配置相関演算部３１１Ｇは上述した処理を実施し、配置相関演算部３１１Ｇの出力信号（配置相関の値）は選択決定部３７１（後述する図１６の最大値検出部３３１Ｇ及び信頼度検出部３３２Ｇ）に供給される。
【０２３８】
選択決定部３７１は、図１６を参照して後述するように、配置相関演算部２１３の出力信号、配置相関演算部３１１Ｕの出力信号、及び配置相関演算部３１１Ｇの出力信号を用いて、Ｐ１シンボルのサブキャリア間隔単位の周波数誤差量（広帯域キャリア周波数誤差量）を検出し、検出した広帯域キャリア周波数誤差量を図３のｆｃ補正部１０２及び補正部１８０へ出力する。
【０２３９】
補正部１８０は、選択決定部３７１から入力された広帯域キャリア周波数誤差量を用いて、Ｐ１直交変換部１５３Ｕの出力信号の広帯域キャリア周波数ずれの補正を行った上でＡｃｔｉｖｅキャリアの抽出を行う。
【０２４０】
以下、図１５の選択決定部３７１について図１６を参照しつつ説明する。図１６は図１５の選択決定部３７１の構成図である。なお、図１６には、選択決定部３７１の各部への入力を明確にするため、配置相関演算部２１３、配置相関演算部３１１Ｕ及び配置相関演算部３１１Ｇも図示している。
【０２４１】
選択決定部３７１は、最大値検出部３９１と、信頼度検出部３９２と、最大値検出部３３１Ｕと、信頼度検出部３３２Ｕと、最大値検出部３３１Ｇと、信頼度検出部３３２Ｇと、判定部３９３と、選択部３９４とを備える。
【０２４２】
最大値検出部３９１は、配置相関演算部２１３から順次入力される配置相関の値から最大の配置相関の値の検出を行い、最大の配置相関の値を得るシフト量をＰ１シンボルのサブキャリア間隔単位の周波数誤差量の候補（広帯域キャリア周波数誤差量の第１候補）として選択部３９４へ出力する。
【０２４３】
信頼度検出部３９２は、配置相関演算部２１３から順次入力される配置相関の値から最大の配置相関の値と２番目に大きい配置相関の値を検出し、最大の配置相関の値を２番目に大きい配置相関の値で除算し、除算値（最大の配置相関の値÷２番目に大きい配置相関の値）を広帯域キャリア周波数誤差量の第１候補の信頼度として判定部３９３へ出力する。
【０２４４】
最大値検出部３３１Ｕ及び信頼度検出部３３２Ｕは夫々上述した処理を行い、広帯域キャリア周波数誤差量の第２候補及びその信頼度の検出を行い、検出した広帯域キャリア周波数誤差量の第２候補及びその信頼度を選択部３９４及び判定部３９３へ出力する。
【０２４５】
最大値検出部３３１Ｇ及び信頼度検出部３３２Ｇは夫々上述した処理を行い、広帯域キャリア周波数誤差量の第３候補及びその信頼度の検出を行い、検出した広帯域キャリア周波数誤差量の第３候補及びその信頼度を選択部３９４及び判定部３９３へ出力する。
【０２４６】
判定部３９３は、信頼度検出部３９２、信頼度検出部３３２Ｕ及び信頼度検出部３３２Ｇの夫々から入力される広帯域キャリア周波数誤差量の第１候補の信頼度、第２候補の信頼度及び第３候補の信頼度を比較し、広帯域キャリア周波数誤差量の第１候補、第２候補及び第３候補の中から最も信頼度が高い（信頼度の値が最も大きい）広帯域キャリア周波数誤差量の候補を検出する。そして、判定部３９３は、最も信頼度が高い広帯域キャリア周波数誤差量の候補を選択部３９４へ通知する。
【０２４７】
選択部３９４は、判定部３９３の通知に従い、最大値検出部３９１、最大値検出部３３１Ｕ及び最大値検出部３３１Ｇの夫々から入力される広帯域キャリア周波数誤差量の第１候補、第２候補及び第３候補の中から最も信頼度が高い広帯域キャリア周波数誤差量の候補を選択して、選択した広帯域キャリア周波数誤差量の候補を補正に利用する広帯域キャリア周波数誤差量として図３のｆｃ補正部１０２及び図１５の補正部１８０へ出力する。
【０２４８】
なお、電力算出部２１１Ｕ、電力算出部２１１Ｇ、乗算部２１２、配置相関演算部２１３、最大値検出部３９１及び信頼度検出部３９２が、直交変換部１５３Ｕの出力信号と直交変換部１５３Ｇの出力信号との双方を用いて広帯域キャリア周波数誤差量の第１候補を検出し、第１候補の信頼度を検出する第１検出処理を実行するブロックである。
【０２４９】
また、電力算出部２１１Ｕ、配置相関演算部３１１Ｕ、最大値検出部３３１Ｕ及び信頼度検出部３３２Ｕが、直交変換部１５３Ｕの出力信号及び直交変換部１５３Ｇの出力信号のうち直交変換部１５３Ｕの出力信号のみを用いて広帯域キャリア周波数誤差量の第２候補を検出し、第２候補の信頼度を検出する第２検出処理を実行するブロックである。
【０２５０】
更に、電力算出部２１１Ｇ、配置相関演算部３１１Ｇ、最大値検出部３３１Ｇ及び信頼度検出部３３２Ｇが、直交変換部１５３Ｕの出力信号及び直交変換部１５３Ｇの出力信号のうち直交変換部１５３Ｇの出力信号のみを用いて広帯域キャリア周波数誤差量の第３候補を検出し、第３候補の信頼度を検出する第３検出処理を実行するブロックである。
【０２５１】
本実施の形態よれば、マルチパス干渉環境やノイズ環境下だけでなく、前ガードインターバル区間、後ガードインターバル区間、有効シンボル区間において局所的にインパルス雑音が存在した環境下においても、広帯域キャリア周波数誤差量の推定を精度よく行うことができる。
【０２５２】
なお、電力算出部２１１Ｕの出力信号の２乗演算を実施して２乗演算の結果を配置相関演算部３１１Ｕへ出力する２乗演算部を追加し、電力算出部２１１Ｇの出力信号の２乗演算を実施して２乗演算の結果を配置相関演算部３１１Ｇへ出力する２乗演算部を追加するようにしてもよい。
【０２５３】
≪第６の実施の形態≫
以下、本発明の第６の実施の形態について図面を参照しつつ説明する。但し、本実施の形態において、第１から第５の実施の形態の構成要素と実質的に同じ構成要素には同じ符号を付し、その説明が適用できるため、本実施の形態ではその説明を省略する。
【０２５４】
本実施の形態のＯＦＤＭ受信装置は、第１から第５の実施の形態で説明したＯＦＤＭ受信装置のＰ１広帯域ｆｃ誤差検出補正部１５５などと異なるＰ１広帯域ｆｃ誤差検出補正部４００を備える点で、それらのＯＦＤＭ受信装置と異なる。但し、Ｐ１広帯域ｆｃ誤差検出補正部４００は、Ｐ１広帯域ｆｃ誤差検出補正部１５５などと広帯域キャリア周波数誤差量の検出の仕組みが異なる。
【０２５５】
以下、第６の実施の形態に係るＰ１広帯域ｆｃ誤差検出補正部４００について図１７を参照しつつ説明する。図１７はＰ１広帯域ｆｃ誤差検出補正部４００の構成図である。なお、図１７には、Ｐ１広帯域ｆｃ誤差検出補正部４００の各部への入力を明確にするため、Ｐ１直交変換部１５３Ｕ、Ｐ１直交変換部１５３Ｇ及びＣＤＳテーブル生成部１５４も図示している。
【０２５６】
Ｐ１広帯域ｆｃ誤差検出補正部４００は、検出部４１０と補正部１８０とを備える。
【０２５７】
検出部４１０は、Ｐ１シンボルでのＰ１シンボルのサブキャリア間隔単位の周波数誤差量（広帯域キャリア周波数誤差量）の検出を行うものであり、振幅算出部２７１Ｕと、振幅算出部２７１Ｇと、乗算部２７２と、配置相関演算部（加算処理部）２７３と、配置相関演算部（加算処理部）４１１Ｕと、電力算出部４１２Ｕと、配置相関演算部（加算処理部）４１１Ｇと、電力算出部４１２Ｇと、選択決定部４１３とを備える。
【０２５８】
振幅算出部２７１Ｕ、振幅算出部２７１Ｇ、乗算部２７２及び配置相関演算部２７３は上述した処理を実施し、配置相関演算部２７３の出力信号（配置相関の値）は選択決定部４１３（後述する図１８の最大値検出部４３１及び信頼度検出部４３２）に供給される。
【０２５９】
振幅算出部２７１Ｕは上述した処理を実施し、振幅算出部２７１Ｕの出力信号は配置相関演算部４１１Ｕに供給される。
【０２６０】
配置相関演算部４１１Ｕには、ＣＤＳテーブル生成部１５４からＡｃｔｉｖｅキャリアの配置系列が入力されるとともに、振幅算出部２７１Ｕの出力信号｜ＹＵ｜が入力される。配置相関演算部４１１Ｕは、連続する複数のサブキャリアにおいてＡｃｔｉｖｅキャリアの配置系列の値が「１」であるサブキャリアでの振幅算出部２７１Ｕの出力信号の値を加算する加算処理を、連続する複数のサブキャリアを所定の範囲内でサブキャリア方向に１サブキャリア単位で順次シフトしながら実施する（配置相関演算部４１１Ｕは、振幅算出部２７１Ｕの出力信号とＡｃｔｉｖｅキャリアの配置系列との配置相関演算を、配置相関演算に使用する振幅算出部２７１Ｕの出力信号を所定の範囲内でサブキャリア方向に１サブキャリア単位で順次シフトしながら実施する）。配置相関演算部４１１Ｕは、加算処理の結果得られた加算値（配置相関の値）を電力算出部４１２Ｕへ出力する。
【０２６１】
電力算出部４１２Ｕは、配置相関演算部４１１Ｕから順次入力される配置相関の値から配置相関の電力を算出し、算出した配置相関の電力値を選択決定部４１３（後述する図１８の最大値検出部４３１Ｕ及び信頼度検出部４３２Ｕ）へ出力する。
【０２６２】
振幅算出部２７１Ｇは上述した処理を実施し、振幅算出部２７１Ｇの出力信号は配置相関演算部４１１Ｕに供給される。
【０２６３】
配置相関演算部４１１Ｕには、ＣＤＳテーブル生成部１５４からＡｃｔｉｖｅキャリアの配置系列が入力されるとともに、振幅算出部２７１Ｇの出力信号｜ＹＧ｜が入力される。配置相関演算部４１１Ｇは、連続する複数のサブキャリアにおいてＡｃｔｉｖｅキャリアの配置系列の値が「１」であるサブキャリアでの振幅算出部２７１Ｇの出力信号の値を加算する加算処理を、連続する複数のサブキャリアを所定の範囲内でサブキャリア方向に１サブキャリア単位で順次シフトしながら実施する（配置相関演算部４１１Ｇは、振幅算出部２７１Ｇの出力信号とＡｃｔｉｖｅキャリアの配置系列との配置相関演算を、配置相関演算に使用する振幅算出部２７１Ｇの出力信号を所定の範囲内でサブキャリア方向に１サブキャリア単位で順次シフトしながら実施する）。配置相関演算部４１１Ｇは、加算処理の結果得られた加算値（配置相関の値）を電力算出部４１２Ｇへ出力する。
【０２６４】
電力算出部４１２Ｇは、配置相関演算部４１１Ｇから順次入力される配置相関の値から配置相関の電力を算出し、算出した配置相関の電力値を選択決定部４１３（後述する図１８の最大値検出部４３１Ｇ及び信頼度検出部４３２Ｇ）へ出力する。
【０２６５】
選択決定部４１３は、図１８を参照して後述するように、配置相関演算部２７３の出力信号、電力算出部４１２Ｕの出力信号、及び電力算出部４１２Ｇの出力信号を用いて、Ｐ１シンボルのサブキャリア間隔単位の周波数誤差量（広帯域キャリア周波数誤差量）を検出し、検出した広帯域キャリア周波数誤差量を図３のｆｃ補正部１０２及び補正部１８０へ出力する。
【０２６６】
補正部１８０は、選択決定部４１３から入力された広帯域キャリア周波数誤差量を用いて、Ｐ１直交変換部１５３Ｕの出力信号の広帯域キャリア周波数のずれの補正を行った上でＡｃｔｉｖｅキャリアの抽出を行う。
【０２６７】
以下、図１７の選択決定部４１３について図１８を参照しつつ説明する。図１８は図１７の選択決定部４１３の構成図である。なお、図１８には、選択決定部４１３の各部への入力を明確にするため、配置相関演算部２７３、電力算出部４１２Ｕ及び電力算出部４１２Ｇも図示している。
【０２６８】
選択決定部４１３は、最大値検出部４３１と、信頼度検出部４３２と、最大値検出部４３１Ｕと、信頼度検出部４３２Ｕと、最大値検出部４３１Ｇと、信頼度検出部４３２Ｇと、判定部４３３と、選択部４３４とを備える。
【０２６９】
最大値検出部４３１は、配置相関演算部２７３から順次入力される配置相関の値の中から最大の配置相関の値の検出を行い、最大の配置相関の値を得るシフト量をＰ１シンボルのサブキャリア間隔単位の周波数誤差量の候補（広帯域キャリア周波数誤差量の第１候補）として選択部４３４へ出力する。
【０２７０】
信頼度検出部４３２は、配置相関演算部２７３から順次入力される配置相関の値の中から最大の配置相関の値と２番目に大きい配置相関の値を検出し、最大の配置相関の値を２番目に大きい配置相関の値で除算し、除算値（最大の配置相関の値÷２番目に大きい配置相関の値）を広帯域キャリア周波数誤差量の第１候補の信頼度として判定部４３３へ出力する。
【０２７１】
最大値検出部４３１Ｕは、電力算出部４１２Ｕから順次入力される配置相関の電力値から最大の配置相関の電力値の検出を行い、最大の配置相関の電力値を得るシフト量をＰ１シンボルのサブキャリア間隔単位の周波数誤差量の候補（広帯域キャリア周波数誤差量の第２候補）として選択部４３４へ出力する。
【０２７２】
信頼度検出部４３２Ｕは、電力算出部４１２Ｕから順次入力される配置相関の電力値から最大の配置相関の電力値と２番目に大きい配置相関の電力値を検出し、最大の配置相関の電力値を２番目に大きい配置相関の電力値で除算し、除算値（最大の配置相関の電力値÷２番目に大きい配置相関の電力値）を広帯域キャリア周波数誤差量の第２候補の信頼度として判定部４３３へ出力する。
【０２７３】
最大値検出部４３１Ｇは、電力算出部４１２Ｇから順次入力される配置相関の電力値から最大の配置相関の電力値の検出を行い、最大の配置相関の電力値を得るシフト量より１大きいシフト量をＰ１シンボルのサブキャリア間隔単位の周波数誤差量の候補（広帯域キャリア周波数誤差量の第３候補）として選択部４３４へ出力する。ここで、最大の配置相関の電力値を得るシフト量より１大きいシフト量を広帯域キャリア周波数誤差量の第３候補とするのは、補正部１８０が広帯域キャリア周波数誤差のずれの補正を実施する対象が有効シンボル区間に関する信号であり、ガードインターバル区間の信号は有効シンボル区間の信号より１サブキャリア分周波数が高い方にシフトされていることによる。なお、例えば、直交変換部１５３Ｇの前段又は後段においてガードインターバル区間の信号に対して−ｆＳＨの周波数シフトを施している場合には（１サブキャリア分周波数が低くなるように周波数シフトを施している場合には）、最大値検出部４３１Ｇは、最大の配置相関の電力値を得るシフト量を広帯域キャリア周波数誤差量の第３候補として選択部４３４へ出力すればよい。
【０２７４】
信頼度検出部４３２Ｇは、電力算出部４１２Ｇから順次入力される配置相関の電力値から最大の配置相関の電力値と２番目に大きい配置相関の電力値を検出し、最大の配置相関の電力値を２番目に大きい配置相関の電力値で除算し、除算値（最大の配置相関の電力値÷２番目に大きい配置相関の電力値）を広帯域キャリア周波数誤差量の第３候補の信頼度として判定部４３３へ出力する。
【０２７５】
判定部４３３は、信頼度検出部４３２、信頼度検出部４３２Ｕ及び信頼度検出部４３２Ｇの夫々から入力される広帯域キャリア周波数誤差量の第１候補の信頼度、第２候補の信頼度及び第３候補の信頼度を比較し、広帯域キャリア周波数誤差量の第１候補、第２候補及び第３候補の中から最も信頼度が高い（信頼度の値が最も大きい）広帯域キャリア周波数誤差量の候補を検出する。そして、判定部４３３は、最も信頼度が高い広帯域キャリア周波数誤差量の候補を選択部４３４へ通知する。
【０２７６】
選択部４３４は、判定部４３３の通知に従い、最大値検出部４３１、最大値検出部４３１Ｕ及び最大値検出部４３１Ｇの夫々から入力される広帯域キャリア周波数誤差量の第１候補、第２候補及び第３候補の中から最も信頼度が高い広帯域キャリア周波数誤差量の候補を選択して、選択した広帯域キャリア周波数誤差量の候補を補正に利用する広帯域キャリア周波数誤差量として図３のｆｃ補正部１０２及び図１７の補正部１８０へ出力する。
【０２７７】
なお、振幅算出部２７１Ｕ、振幅算出部２７１Ｇ、乗算部２７２、配置相関演算部２７３、最大値検出部４３１及び信頼度検出部４３２が、直交変換部１５３Ｕの出力信号と直交変換部１５３Ｇの出力信号との双方を用いて広帯域キャリア周波数誤差量の第１候補を検出し、第１候補の信頼度を検出する第１検出処理を実行するブロックである。
【０２７８】
また、振幅算出部２７１Ｕ、配置相関演算部４１１Ｕ、電力算出部４１２Ｕ、最大値検出部４３１Ｕ及び信頼度検出部４３２Ｕが、直交変換部１５３Ｕの出力信号及び直交変換部１５３Ｇの出力信号のうち直交変換部１５３Ｕの出力信号のみを用いて広帯域キャリア周波数誤差量の第２候補を検出し、第２候補の信頼度を検出する第２検出処理を実行するブロックである。
【０２７９】
更に、振幅算出部２７１Ｇ、配置相関演算部４１１Ｇ、電力算出部４１２Ｇ、最大値検出部４３１Ｇ及び信頼度検出部４３２Ｇが、直交変換部１５３Ｕの出力信号及び直交変換部１５３Ｇの出力信号のうち直交変換部１５３Ｇの出力信号のみを用いて広帯域キャリア周波数誤差量の第３候補を検出し、第３候補の信頼度を検出する第３検出処理を実行するブロックである。
【０２８０】
本実施の形態よれば、マルチパス干渉環境やノイズ環境下だけでなく、前ガードインターバル区間、後ガードインターバル区間、有効シンボル区間において局所的にインパルス雑音が存在した環境下においても、広帯域キャリア周波数誤差量の誤推定を低減して、受信性能の向上を図ることができる。
【０２８１】
≪第７の実施の形態≫
以下、本発明の第７の実施の形態について図面を参照しつつ説明する。但し、本実施の形態において、第１から第６の実施の形態の構成要素と実質的に同じ構成要素には同じ符号を付し、その説明が適用できるため、本実施の形態ではその説明を省略する。
【０２８２】
本実施の形態のＯＦＤＭ受信装置は、第１から第６の実施の形態で説明したＯＦＤＭ受信装置のＰ１広帯域ｆｃ誤差検出補正部１５５などと異なるＰ１広帯域ｆｃ誤差検出補正部４５０を備える点で、それらのＯＦＤＭ受信装置と異なる。但し、Ｐ１広帯域ｆｃ誤差検出補正部４５０は、Ｐ１広帯域ｆｃ誤差検出補正部１５５などと広帯域キャリア周波数誤差量の検出の仕組みが異なる。
【０２８３】
以下、第７の実施の形態に係るＰ１広帯域ｆｃ誤差検出補正部４５０について図１９を参照しつつ説明する。図１９はＰ１広帯域ｆｃ誤差検出補正部４５０の構成図である。なお、図１９には、Ｐ１広帯域ｆｃ誤差検出補正部４５０の各部への入力を明確にするため、Ｐ１直交変換部１５３Ｕ、Ｐ１直交変換部１５３Ｇ及びＣＤＳテーブル生成部１５４も図示している。
【０２８４】
Ｐ１広帯域ｆｃ誤差検出補正部４５０は、検出部４７０と補正部１８０とを備える。
【０２８５】
検出部４７０は、Ｐ１シンボルでのＰ１シンボルのサブキャリア間隔単位の周波数誤差量（広帯域キャリア周波数誤差量）の検出を行うものであり、振幅算出部２７１Ｕと、振幅算出部２７１Ｇと、乗算部２７２と、配置相関演算部（加算処理部）２７３と、電力算出部２１１Ｕと、配置相関演算部（加算処理部）３１１Ｕと、電力算出部２１１Ｇと、配置相関演算部（加算処理部）３１１Ｇと、選択決定部４７１とを備える。
【０２８６】
振幅算出部２７１Ｕ、振幅算出部２７１Ｇ、乗算部２７２及び配置相関演算部２７３は上述した処理を実施し、配置相関演算部２７３の出力信号（配置相関の値）は選択決定部４７１（後述する図２０の最大値検出部４３１及び信頼度検出部４３２）に供給される。
【０２８７】
電力算出部２１１Ｕ及び配置相関演算部３１１Ｕは上述した処理を実施し、配置相関演算部３１１Ｕの出力信号（配置相関の値）は選択決定部４７１（後述する図２０の最大値検出部３３１Ｕ及び信頼度検出部３３２Ｕ）に供給される。
【０２８８】
電力算出部２１１Ｇ及び配置相関演算部３１１Ｇは上述した処理を実施し、配置相関演算部３１１Ｇの出力信号（配置相関の値）は選択決定部４７１（後述する図２０の最大値検出部３３１Ｇ及び信頼度検出部３３２Ｇ）に供給される。
【０２８９】
選択決定部４７１は、図２０を参照して後述するように、配置相関演算部２７３の出力信号、配置相関演算部３１１Ｕの出力信号、及び配置相関演算部３１１Ｇの出力信号を用いて、Ｐ１シンボルのサブキャリア間隔単位の周波数誤差量（広帯域キャリア周波数誤差量）を検出し、検出した広帯域キャリア周波数誤差量を図３のｆｃ補正部１０２及び補正部１８０へ出力する。
【０２９０】
補正部１８０は、選択決定部４７１から入力された広帯域キャリア周波数誤差量を用いて、Ｐ１直交変換部１５３Ｕの出力信号の広帯域キャリア周波数ずれの補正を行った上でＡｃｔｉｖｅキャリアの抽出を行う。
【０２９１】
以下、図１９の選択決定部４７１について図２０を参照しつつ説明する。図２０は図１９の選択決定部４７１の構成図である。なお、図２０には、選択決定部４７１の各部への入力を明確にするため、配置相関演算部２７３、配置相関演算部３１１Ｕ及び配置相関演算部３１１Ｇも図示している。
【０２９２】
選択決定部４７１は、最大値検出部４３１と、信頼度検出部４３２と、最大値検出部３３１Ｕと、信頼度検出部３３２Ｕと、最大値検出部３３１Ｇと、信頼度検出部３３２Ｇと、判定部４９１と、選択部４９２とを備える。
【０２９３】
最大値検出部４３１及び信頼度検出部４３２は夫々上述した処理を行い、広帯域キャリア周波数誤差量の第１候補及びその信頼度の検出を行い、検出した広帯域キャリア周波数誤差量の第１候補及びその信頼度を選択部４９２及び判定部４９１へ出力する。
【０２９４】
最大値検出部３３１Ｕ及び信頼度検出部３３２Ｕは夫々上述した処理を行い、広帯域キャリア周波数誤差量の第２候補及びその信頼度の検出を行い、検出した広帯域キャリア周波数誤差量の第２候補及びその信頼度を選択部４９２及び判定部４９１へ出力する。
【０２９５】
最大値検出部３３１Ｇ及び信頼度検出部３３２Ｇは夫々上述した処理を行い、広帯域キャリア周波数誤差量の第３候補及びその信頼度の検出を行い、検出した広帯域キャリア周波数誤差量の第３候補及びその信頼度を選択部４９２及び判定部４９１へ出力する。
【０２９６】
判定部４９１は、信頼度検出部４３２、信頼度検出部３３２Ｕ及び信頼度検出部３３２Ｇの夫々から入力される広帯域キャリア周波数誤差量の第１候補の信頼度、第２候補の信頼度及び第３候補の信頼度を比較し、広帯域キャリア周波数誤差量の第１候補、第２候補及び第３候補の中から最も信頼度が高い（信頼度の値が最も大きい）広帯域キャリア周波数誤差量の候補を検出する。そして、判定部４９１は、最も信頼度が高い広帯域キャリア周波数誤差量の候補を選択部４９２へ通知する。
【０２９７】
選択部４９２は、判定部４９１の通知に従い、最大値検出部４３１、最大値検出部３３１Ｕ及び最大値検出部３３１Ｇの夫々から入力される広帯域キャリア周波数誤差量の第１候補、第２候補及び第３候補の中から最も信頼度が高い広帯域キャリア周波数誤差量の候補を選択して、選択した広帯域キャリア周波数誤差量の候補を補正に利用する広帯域キャリア周波数誤差量として図３のｆｃ補正部１０２及び図１９の補正部１８０へ出力する。
【０２９８】
なお、振幅算出部２７１Ｕ、振幅算出部２７１Ｇ、乗算部２７２、配置相関演算部２７３、最大値検出部４３１及び信頼度検出部４３２が、直交変換部１５３Ｕの出力信号と直交変換部１５３Ｇの出力信号との双方を用いて広帯域キャリア周波数誤差量の第１候補を検出し、第１候補の信頼度を検出する第１検出処理を実行するブロックである。
【０２９９】
また、電力算出部２１１Ｕ、配置相関演算部３１１Ｕ、最大値検出部３３１Ｕ及び信頼度検出部３３２Ｕが、直交変換部１５３Ｕの出力信号及び直交変換部１５３Ｇの出力信号のうち直交変換部１５３Ｕの出力信号のみを用いて広帯域キャリア周波数誤差量の第２候補を検出し、第２候補の信頼度を検出する第２検出処理を実行するブロックである。
【０３００】
更に、電力算出部２１１Ｇ、配置相関演算部３１１Ｇ、最大値検出部３３１Ｇ及び信頼度検出部３３２Ｇが、直交変換部１５３Ｕの出力信号及び直交変換部１５３Ｇの出力信号のうち直交変換部１５３Ｇの出力信号のみを用いて広帯域キャリア周波数誤差量の第３候補を検出し、第３候補の信頼度を検出する第３検出処理を実行するブロックである。
【０３０１】
本実施の形態よれば、マルチパス干渉環境やノイズ環境下だけでなく、前ガードインターバル区間、後ガードインターバル区間、有効シンボル区間において局所的にインパルス雑音が存在した環境下においても、広帯域キャリア周波数誤差量の推定を精度よく行うことができる。
【０３０２】
≪第８の実施の形態≫
以下、本発明の第８の実施の形態について図面を参照しつつ説明する。但し、本実施の形態において、第１から第７の実施の形態の構成要素と実質的に同じ構成要素には同じ符号を付し、その説明が適用できるため、本実施の形態ではその説明を省略する。
【０３０３】
本実施の形態のＯＦＤＭ受信装置は、第１から第７の実施の形態で説明したＯＦＤＭ受信装置のＰ１広帯域ｆｃ誤差検出補正部１５５などと異なるＰ１広帯域ｆｃ誤差検出補正部５００を備える点で、それらのＯＦＤＭ受信装置と異なる。但し、Ｐ１広帯域ｆｃ誤差検出補正部５００は、Ｐ１広帯域ｆｃ誤差検出補正部１５５などと広帯域キャリア周波数誤差量の検出の仕組みが異なる。
【０３０４】
以下、第８の実施の形態に係るＰ１広帯域ｆｃ誤差検出補正部５００について図２１を参照しつつ説明する。図２１はＰ１広帯域ｆｃ誤差検出補正部５００の構成図である。なお、図２１には、Ｐ１広帯域ｆｃ誤差検出補正部５００の各部への入力を明確にするため、Ｐ１直交変換部１５３Ｕ、Ｐ１直交変換部１５３Ｇ及びＣＤＳテーブル生成部１５４も図示している。
【０３０５】
Ｐ１広帯域ｆｃ誤差検出補正部５００は、検出部５１０と補正部１８０とを備える。
【０３０６】
検出部５１０は、Ｐ１シンボルでのＰ１シンボルのサブキャリア間隔単位の周波数誤差量（広帯域キャリア周波数誤差量）の検出を行うものであり、複素乗算部１７１と、配置相関演算部（加算処理部）１７２と、振幅算出部５１１と、電力算出部２１１Ｕと、配置相関演算部（加算処理部）３１１Ｕと、電力算出部２１１Ｇと、配置相関演算部（加算処理部）３１１Ｇと、選択決定部５１２とを備える。
【０３０７】
複素乗算部１７１及び配置相関演算部１７２は上述した処理を実施し、配置相関演算部１７２の出力信号（配置相関の値）が振幅算出部５１１に供給される。振幅算出部５１１は、配置相関演算部１７２から順次入力される配置相関の値の振幅の算出処理を実施し、算出した配置相関の振幅値を選択決定部５１２（後述する図２２の最大値検出部５３１及び信頼度検出部５３２）へ出力する。
【０３０８】
電力算出部２１１Ｕ及び配置相関演算部３１１Ｕは上述した処理を実施し、配置相関演算部３１１Ｕの出力信号（配置相関の値）は選択決定部５１２（後述する図２２の最大値検出部３３１Ｕ及び信頼度検出部３３２Ｕ）に供給される。
【０３０９】
電力算出部２１１Ｇ及び配置相関演算部３１１Ｇは上述した処理を実施し、配置相関演算部３１１Ｇの出力信号（配置相関の値）は選択決定部５１２（後述する図２２の最大値検出部３３１Ｇ及び信頼度検出部３３２Ｇ）に供給される。
【０３１０】
選択決定部５１２は、図２２を参照して後述するように、振幅算出部５１１の出力信号、配置相関演算部３１１Ｕの出力信号、及び配置相関演算部３１１Ｇの出力信号を用いて、Ｐ１シンボルのサブキャリア間隔単位の周波数誤差量（広帯域キャリア周波数誤差量）を検出し、検出した広帯域キャリア周波数誤差量を図３のｆｃ補正部１０２及び補正部１８０へ出力する。
【０３１１】
補正部１８０は、選択決定部５１２から入力された広帯域キャリア周波数誤差量を用いて、Ｐ１直交変換部１５３Ｕの出力信号の広帯域キャリア周波数ずれの補正を行った上でＡｃｔｉｖｅキャリアの抽出を行う。
【０３１２】
以下、図２１の選択決定部５１２について図２２を参照しつつ説明する。図２２は図２１の選択決定部５１２の構成図である。なお、図２２には、選択決定部５１２の各部への入力を明確にするため、振幅算出部５１１、配置相関演算部３１１Ｕ及び配置相関演算部３１１Ｇも図示している。
【０３１３】
選択決定部５１２は、最大値検出部５３１と、信頼度検出部５３２と、最大値検出部３３１Ｕと、信頼度検出部３３２Ｕと、最大値検出部３３１Ｇと、信頼度検出部３３２Ｇと、判定部５３３と、選択部５３４とを備える。
【０３１４】
最大値検出部５３１は、振幅算出部５１１から順次入力される配置相関の振幅値から最大の振幅値の検出を行い、最大の振幅値を得るシフト量をＰ１シンボルのサブキャリア間隔単位の周波数誤差量の候補（広帯域キャリア周波数誤差量の第１候補）として選択部５３４へ出力する。
【０３１５】
信頼度検出部５３２は、振幅算出部５１１から順次入力される配置相関の振幅値から最大の振幅値と２番目に大きい振幅値を検出し、最大の振幅値を２番目に大きい振幅値で除算し、除算値（最大の配置相関の振幅値÷２番目に大きい配置相関の振幅値）を広帯域キャリア周波数誤差量の第１候補の信頼度として判定部５３３へ出力する。
【０３１６】
最大値検出部３３１Ｕ及び信頼度検出部３３２Ｕは夫々上述した処理を行い、広帯域キャリア周波数誤差量の第２候補及びその信頼度の検出を行い、検出した広帯域キャリア周波数誤差量の第２候補及びその信頼度を選択部５３４及び判定部５３３へ出力する。
【０３１７】
最大値検出部３３１Ｇ及び信頼度検出部３３２Ｇは夫々上述した処理を行い、広帯域キャリア周波数誤差量の第３候補及びその信頼度の検出を行い、検出した広帯域キャリア周波数誤差量の第３候補及びその信頼度を選択部５３４及び判定部５３３へ出力する。
【０３１８】
判定部５３３は、信頼度検出部５３２、信頼度検出部３３２Ｕ及び信頼度検出部３３２Ｇの夫々から入力される広帯域キャリア周波数誤差量の第１候補の信頼度、第２候補の信頼度及び第３候補の信頼度を比較し、広帯域キャリア周波数誤差量の第１候補、第２候補及び第３候補の中から最も信頼度が高い（信頼度の値が最も大きい）広帯域キャリア周波数誤差量の候補を検出する。そして、判定部５３３は、最も信頼度が高い広帯域キャリア周波数誤差量の候補を選択部５３４へ通知する。
【０３１９】
選択部５３４は、判定部５３３の通知に従い、最大値検出部５３１、最大値検出部３３１Ｕ、及び最大値検出部３３１Ｇの夫々から入力される広帯域キャリア周波数誤差量の第１候補、第２候補及び第３候補の中から最も信頼度が高い広帯域キャリア周波数誤差量の候補を選択して、選択した広帯域キャリア周波数誤差量の候補を補正に利用する広帯域キャリア周波数誤差量として図３のｆｃ補正部１０２及び図２１の補正部１８０へ出力する。
【０３２０】
なお、複素乗算部１７１、配置相関演算部１７２、振幅算出部５１１、最大値検出部５３１及び信頼度検出部５３２が、直交変換部１５３Ｕの出力信号と直交変換部１５３Ｇの出力信号との双方を用いて広帯域キャリア周波数誤差量の第１候補を検出し、第１候補の信頼度を検出する第１検出処理を実行するブロックである。
【０３２１】
また、電力算出部２１１Ｕ、配置相関演算部３１１Ｕ、最大値検出部３３１Ｕ及び信頼度検出部３３２Ｕが、直交変換部１５３Ｕの出力信号及び直交変換部１５３Ｇの出力信号のうち直交変換部１５３Ｕの出力信号のみを用いて広帯域キャリア周波数誤差量の第２候補を検出し、第２候補の信頼度を検出する第２検出処理を実行するブロックである。
【０３２２】
更に、電力算出部２１１Ｇ、配置相関演算部３１１Ｇ、最大値検出部３３１Ｇ及び信頼度検出部３３２Ｇが、直交変換部１５３Ｕの出力信号及び直交変換部１５３Ｇの出力信号のうち直交変換部１５３Ｇの出力信号のみを用いて広帯域キャリア周波数誤差量の第３候補を検出し、第３候補の信頼度を検出する第３検出処理を実行するブロックである。
【０３２３】
本実施の形態よれば、マルチパス干渉環境やノイズ環境下だけでなく、前ガードインターバル区間、後ガードインターバル区間、有効シンボル区間において局所的にインパルス雑音が存在した環境下においても、広帯域キャリア周波数誤差量の推定を精度よく行うことができる。
【０３２４】
≪第９の実施の形態≫
以下、本発明の第９の実施の形態について図面を参照しつつ説明する。但し、本実施の形態において、第１から第８の実施の形態の構成要素と実質的に同じ構成要素には同じ符号を付し、その説明が適用できるため、本実施の形態ではその説明を省略する。
【０３２５】
本実施の形態のＯＦＤＭ受信装置は、第１から第８の実施の形態で説明したＯＦＤＭ受信装置のＰ１広帯域ｆｃ誤差検出補正部１５５などと異なるＰ１広帯域ｆｃ誤差検出補正部５５０を備える点で、それらのＯＦＤＭ受信装置と異なる。但し、Ｐ１広帯域ｆｃ誤差検出補正部５５０は、Ｐ１広帯域ｆｃ誤差検出補正部１５５などと広帯域キャリア周波数誤差量の検出の仕組みが異なる。
【０３２６】
以下、第９の実施の形態に係るＰ１広帯域ｆｃ誤差検出補正部５５０について図２３を参照しつつ説明する。図２３はＰ１広帯域ｆｃ誤差検出補正部５５０の構成図である。なお、図２３には、Ｐ１広帯域ｆｃ誤差検出補正部５５０の各部への入力を明確にするため、Ｐ１直交変換部１５３Ｕ、Ｐ１直交変換部１５３Ｇ及びＣＤＳテーブル生成部１５４も図示している。
【０３２７】
Ｐ１広帯域ｆｃ誤差検出補正部５５０は、検出部５７０と補正部１８０とを備える。
【０３２８】
検出部５７０は、Ｐ１シンボルでのＰ１シンボルのサブキャリア間隔単位の周波数誤差量（広帯域キャリア周波数誤差量）の検出を行うものであり、複素乗算部１７１と、配置相関演算部（加算処理部）１７２と、電力算出部１７３と、電力算出部２１１Ｕと、配置相関演算部（加算処理部）３１１Ｕと、２乗算出部５７１Ｕと、電力算出部２１１Ｇと、配置相関演算部（加算処理部）３１１Ｇと、２乗算出部５７１Ｇと、選択決定部５７２とを備える。
【０３２９】
複素乗算部１７１、配置相関演算部１７２及び電力算出部１７３は上述した処理を実施し、電力算出部１７３の出力信号（配置相関の電力値）は選択決定部５７２（後述する図２４の最大値検出部３３１及び信頼度検出部３３２）に供給される。
【０３３０】
電力算出部２１１Ｕ及び配置相関演算部３１１Ｕは上述した処理を実施し、配置相関演算部３１１Ｕの出力信号（配置相関の値）は２乗算出部５７１Ｕに供給される。２乗算出部５７１Ｕは、配置相関演算部３１１Ｕから順次入力される配置相関の値の２乗演算を実施し、２乗演算の結果を選択決定部５７２（後述する図２４の最大値検出部５９１Ｕ及び信頼度検出部５９２Ｕ）へ出力する。
【０３３１】
電力算出部２１１Ｇ及び配置相関演算部３１１Ｇは上述した処理を実施し、配置相関演算部３１１Ｇの出力信号（配置相関の値）は２乗算出部５７１Ｇに供給される。２乗算出部５７１Ｇは、配置相関演算部３１１Ｇから順次入力される配置相関の値の２乗演算を実施し、２乗演算の結果を選択決定部５７２（後述する図２４の最大値検出部５９１Ｇ及び信頼度検出部５９２Ｇ）へ出力する。
【０３３２】
選択決定部５７２は、図２４を参照して後述するように、電力算出部１７３の出力信号、２乗算出部５７１Ｕの出力信号、及び２乗算出部５７１Ｇの出力信号を用いて、Ｐ１シンボルのサブキャリア間隔単位の周波数誤差量（広帯域キャリア周波数誤差量）を検出し、検出した広帯域キャリア周波数誤差量を図３のｆｃ補正部１０２及び補正部１８０へ出力する。
【０３３３】
補正部１８０は、選択決定部５７２から入力された広帯域キャリア周波数誤差量を用いて、Ｐ１直交変換部１５３Ｕの出力信号の広帯域キャリア周波数ずれの補正を行った上でＡｃｔｉｖｅキャリアの抽出を行う。
【０３３４】
以下、図２３の選択決定部５７２について図２４を参照しつつ説明する。図２４は図２３の選択決定部５７２の構成図である。なお、図２４には、選択決定部５７２の各部への入力を明確にするため、電力算出部１７３、２乗算出部５７１Ｕ及び２乗算出部５７１Ｇも図示している。
【０３３５】
選択決定部５７２は、最大値検出部３３１と、信頼度検出部３３２と、最大値検出部５９１Ｕと、信頼度検出部５９２Ｕと、最大値検出部５９１Ｇと、信頼度検出部５９２Ｇと、判定部５９３と、選択部５９４とを備える。
【０３３６】
最大値検出部３３１及び信頼度検出部３３２は夫々上述した処理を行い、広帯域キャリア周波数誤差量の第１候補及びその信頼度の検出を行い、検出した広帯域キャリア周波数誤差量の第１候補及びその信頼度を選択部５９４及び判定部５９３へ出力する。
【０３３７】
最大値検出部５９１Ｕは、２乗算出部５７１Ｕから順次入力される配置相関の２乗値から最大の配置相関の２乗値の検出を行い、最大の配置相関の２乗値を得るシフト量をＰ１シンボルのサブキャリア間隔単位の周波数誤差量の候補（広帯域キャリア周波数誤差量の第２候補）として選択部５９４へ出力する。
【０３３８】
信頼度検出部５９２Ｕは、２乗算出部５７１Ｕから順次入力される配置相関の２乗値から最大の配置相関の２乗値と２番目に大きい配置相関の２乗値を検出し、最大の配置相関の２乗値を２番目に大きい配置相関の２乗値で除算し、除算値（最大の配置相関の２乗値÷２番目に大きい配置相関の２乗値）を広帯域キャリア周波数誤差量の第２候補の信頼度として判定部５９３へ出力する。
【０３３９】
最大値検出部５９１Ｇは、２乗算出部５７１Ｇから順次入力される配置相関の２乗値から最大の配置相関の２乗値の検出を行い、最大の配置相関の２乗値を得るシフト量より１大きいシフト量をＰ１シンボルのサブキャリア間隔単位の周波数誤差量の候補（広帯域キャリア周波数誤差量の第３候補）として選択部５９４へ出力する。ここで、最大の配置相関の電力値を得るシフト量より１大きいシフト量を広帯域キャリア周波数誤差量の第３候補とするのは、補正部１８０が広帯域キャリア周波数誤差のずれの補正を実施する対象が有効シンボル区間に関する信号であり、ガードインターバル区間の信号は有効シンボル区間の信号より１サブキャリア分周波数が高い方にシフトされていることによる。なお、例えば、直交変換部１５３Ｇの前段又は後段においてガードインターバル区間の信号に対して−ｆＳＨの周波数シフトを施している場合には（１サブキャリア分周波数が低くなるように周波数シフトを施している場合には）、最大値検出部５９１Ｇは、最大の配置相関の電力値を得るシフト量を広帯域キャリア周波数誤差量の第３候補として選択部５９４へ出力すればよい。
【０３４０】
信頼度検出部５９２Ｇは、２乗算出部５７１Ｇから順次入力される配置相関の２乗値から最大の配置相関の２乗値と２番目に大きい配置相関の２乗値を検出し、最大の配置相関の２乗値を２番目に大きい配置相関の２乗値で除算し、除算値（最大の配置相関の２乗値÷２番目に大きい配置相関の２乗値）を広帯域キャリア周波数誤差量の第３候補の信頼度として判定部５９３へ出力する。
【０３４１】
判定部５９３は、信頼度検出部３３２、信頼度検出部５９２Ｕ及び信頼度検出部５９２Ｇの夫々から入力される広帯域キャリア周波数誤差量の第１候補の信頼度、第２候補の信頼度及び第３候補の信頼度を比較し、広帯域キャリア周波数誤差量の第１候補、第２候補及び第３候補の中から最も信頼度が高い（信頼度の値が最も大きい）広帯域キャリア周波数誤差量の候補を検出する。そして、判定部５９３は、最も信頼度が高い広帯域キャリア周波数誤差量の候補を選択部５９４へ通知する。
【０３４２】
選択部５９４は、判定部５９３の通知に従い、最大値検出部３３１、最大値検出部５９１Ｕ及び最大値検出部５９１Ｇの夫々から入力される広帯域キャリア周波数誤差量の第１候補、第２候補及び第３候補の中から最も信頼度が高い広帯域キャリア周波数誤差量の候補を選択して、選択した広帯域キャリア周波数誤差量の候補を補正に利用する広帯域キャリア周波数誤差量として図３のｆｃ補正部１０２及び図２３の補正部１８０へ出力する。
【０３４３】
なお、複素乗算部１７１、配置相関演算部１７２、電力算出部１７３、最大値検出部３３１及び信頼度検出部３３２が、直交変換部１５３Ｕの出力信号と直交変換部１５３Ｇの出力信号との双方を用いて広帯域キャリア周波数誤差量の第１候補を検出し、第１候補の信頼度を検出する第１検出処理を実行するブロックである。
【０３４４】
また、電力算出部２１１Ｕ、配置相関演算部３１１Ｕ、２乗算出部５７１Ｕ、最大値検出部５９１Ｕ及び信頼度検出部５９２Ｕが、直交変換部１５３Ｕの出力信号及び直交変換部１５３Ｇの出力信号のうち直交変換部１５３Ｕの出力信号のみを用いて広帯域キャリア周波数誤差量の第２候補を検出し、第２候補の信頼度を検出する第２検出処理を実行するブロックである。
【０３４５】
更に、電力算出部２１１Ｇ、配置相関演算部３１１Ｇ、２乗算出部５７１Ｇ、最大値検出部５９１Ｇ及び信頼度検出部５９２Ｇが、直交変換部１５３Ｕの出力信号及び直交変換部１５３Ｇの出力信号のうち直交変換部１５３Ｇの出力信号のみを用いて広帯域キャリア周波数誤差量の第３候補を検出し、第３候補の信頼度を検出する第３検出処理を実行するブロックである。
【０３４６】
本実施の形態よれば、マルチパス干渉環境やノイズ環境下だけでなく、前ガードインターバル区間、後ガードインターバル区間、有効シンボル区間において局所的にインパルス雑音が存在した環境下においても、広帯域キャリア周波数誤差量の推定を精度よく行うことができる。
【０３４７】
≪第１０の実施の形態≫
以下、本発明の第１０の実施の形態について図面を参照しつつ説明する。但し、本実施の形態において、第１から第９の実施の形態の構成要素と実質的に同じ構成要素には同じ符号を付し、その説明が適用できるため、本実施の形態ではその説明を省略する。
【０３４８】
本実施の形態のＯＦＤＭ受信装置は、第１から第９の実施の形態で説明したＯＦＤＭ受信装置のＰ１広帯域ｆｃ誤差検出補正部１５５などと異なるＰ１広帯域ｆｃ誤差検出補正部６００を備える点で、それらのＯＦＤＭ受信装置と異なる。但し、Ｐ１広帯域ｆｃ誤差検出補正部６００は、Ｐ１広帯域ｆｃ誤差検出補正部１５５などに対して、Ｐ１直交変換部１５３Ｕの出力信号及びＰ１直交変換部１５３Ｇの出力信号の一方を選択して選択した信号に対して広帯域キャリア周波数ずれの補正を実施する機能を付加したものである。
【０３４９】
以下、第１０の実施の形態に係るＰ１広帯域ｆｃ誤差検出補正部６００について図２５を参照しつつ説明する。図２５はＰ１広帯域ｆｃ誤差検出補正部６００の構成図である。なお、図２５には、Ｐ１広帯域ｆｃ誤差検出補正部６００の各部への入力を明確にするため、Ｐ１直交変換部１５３Ｕ、Ｐ１直交変換部１５３Ｇ及びＣＤＳテーブル生成部１５４も図示している。
【０３５０】
検出部６１０は、図１３の検出部３１０の選択決定部３１２の代わりに選択部３１２Ａを備える。選択部３１２Ａは、図２６に示す構成をしており、図１４の判定部３３３の代わりに判定部３３３Ａを備える。
【０３５１】
判定部３３３Ａは、判定部３３３の機能に加え、次の機能を有する。判定部３３３Ａは、信頼度検出部３３２、信頼度検出部３３２Ｕ及び信頼度検出部３３２Ｇの夫々から入力される広帯域キャリア周波数誤差量の第１候補の信頼度、第２候補の信頼度及び第３候補の信頼度を比較する。そして、判定部３３３Ａは、第１候補の信頼度が最も高い場合にはＰ１直交変換部１５３Ｕの出力信号を選択して補正部１８０Ａへ出力するように選択部６２０へ通知する。また、判定部３３３Ａは、第２候補の信頼度が最も高い場合にはＰ１直交変換部１５３Ｕの出力信号を選択して補正部１８０Ａへ出力するように選択部６２０へ通知する。さらに、判定部３３３Ａは、第３候補の信頼度が最も高い場合には、Ｐ１直交変換部１５３Ｇの出力信号を選択して補正部１８０Ａへ出力するように選択部６２０へ通知する。
【０３５２】
なお、判定部３３３Ａは、信頼度検出部３３２Ｕ及び信頼度検出部３３２Ｇの夫々から入力される広帯域キャリア周波数誤差量の第２候補の信頼度及び第３候補の信頼度を比較する。そして、判定部３３３Ａは、第２候補の信頼度の方が高い場合にはＰ１直交変換部１５３Ｕの出力信号を選択して補正部１８０Ａへ出力するように選択部６２０へ通知する。一方、判定部３３３Ａは、第３候補の信頼度の方が高い場合にはＰ１直交変換部１５３Ｇの出力信号を選択して補正部１８０Ａへ出力するように選択部６２０へ通知するようにしてもよい。
【０３５３】
図２５の選択部６２０は、選択決定部３１２Ａ内の判定部３３３Ａからの通知に従い、第１直交変換部１５３Ｕの出力信号及び第２直交変換部１５３Ｇの出力信号から一方を選択して、選択した信号を補正部１８０Ａへ出力する。
【０３５４】
補正部１８０Ａは、選択決定部３１２Ａ内の選択部３３４から出力された広帯域キャリア周波数誤差量に基づいて、選択部６２０の出力信号（周波数領域の複素ベースバンド信号）の広帯域キャリア周波数のずれの補正を実施する。そして、補正部１８０Ａは、ＣＤＳテーブル生成部１５４から入力されたＡｃｔｉｖｅキャリアの配置系列を利用して、広帯域キャリア周波数のずれが補正された周波数領域の複素ベースバンド信号から、Ａｃｔｉｖｅキャリアのみを抽出し、抽出したＡｃｔｉｖｅキャリアを図４のＰ１デコード部１５６（図７のデスクランブル部１９１）へ出力する。なお、選択部３１２Ａ内の選択部３３４Ａは、有効シンボル区間の周波数領域の信号の広帯域キャリア周波数誤差量を補正部１８０Ａに供給している。そして、結合ガードインターバル区間の信号は有効シンボル区間の信号をｆＳＨ分周波数シフトしたもの（１サブキャリア分周波数が高くなるように周波数シフトしたもの）である。このことから、直交変換部１８０Ｇの出力信号が選択部６２０に選択された場合には、補正部１８０Ａは、供給される広帯域キャリア周波数誤差量より１小さい値分の広帯域キャリア周波数のずれを補正することになる。
【０３５５】
本実施の形態によれば、有効シンボル区間の信号及び結合ガードインターバル区間の信号のうち信頼度の高い方の信号を利用したＰ１シンボルのデコード処理を実施することができ、Ｐ１シンボルのデコードの精度の向上を図ることができる。
【０３５６】
≪補足≫
本発明は上記の実施の形態で説明した内容に限定されず、本発明の目的とそれに関連又は付随する目的を達成するためのいかなる形態においても実施可能であり、例えば、以下であってもよい。
【０３５７】
（１）上記の実施の形態で説明した複素乗算部１７１、乗算部２１２、乗算部２７２は、結合ガードインターバル区間の信号が有効シンボル区間の信号に対して１サブキャリア分高周波側にずれていることを考慮して上記の（数１６）、上記の（数１９）、上記の（数２０）を用いた演算を行っている。しかしながら、これに限定されるものではなく、１サブキャリア分高周波側にずれていることを考慮したものであればよく、例えば次のようなものであってもよい。
【０３５８】
Ｐ１直交変換部１５３Ｇの前段に周波数シフト補正部を設け、この周波数シフト補正部はＰ１シンボルの結合ガードインターバル区間の時間領域の複素ベースバンド信号に対して−ｆＳＨ分だけ周波数シフトさせ（ガードインターバル区間の信号に対して送信側で施されたｆＳＨ分だけの周波数シフトを相殺する逆方向の周波数シフトの実施に係る補正処理を行い）、周波数シフトさせた時間領域の複素ベースバンド信号をＰ１直交変換部１５３Ｇへ出力する。或いは、Ｐ１直交変換部１５３Ｇの後段に周波数シフト補正部を設け、この周波数シフト補正部はＰ１直交変換部１５３Ｇの出力信号（Ｐ１シンボルの結合ガードインターバル区間の周波数領域の複素ベースバンド信号）に対して１サブキャリア分だけ周波数が低くなるように補正し（ガードインターバル区間の信号に対して送信側で施されたｆＳＨ分だけの周波数シフトを相殺する逆方向の周波数シフトの実施に係る補正処理を行い）、１サブキャリア分だけ周波数が低くなるように補正された周波数領域の複素ベースバンド信号をＰ１広帯域ｆｃ誤差検出補正部１５５Ｇへ出力する。或いは、Ｐ１直交変換部１５３Ｇは直交変換を実施する際に−ｆＳＨ分だけ周波数シフトする補正処理を行う。
【０３５９】
これらの場合には、複素乗算部１７１は上記の（数１６）の代わりに下記の（数２１）に示す演算を実施し、乗算部２１２は上記の（数１９）の代わりに下記の（数２２）に示す演算を実施し、乗算部２７２は上記の（数２０）の代わりに下記の（数２３）に示す演算を実施すればよい。
【０３６０】
【数２１】
2012060051.tif 000023
【０３６１】
【数２２】
2012060051.tif 000024
【０３６２】
【数２３】
2012060051.tif 000025
【０３６３】
なお、複素乗算部１７１は、上記の（数２１）の演算の代わりに、出力信号ＹＵ（ｎ）の複素共役の信号ＹＵ（ｎ）＊と出力信号ＹＧ（ｎ）とを乗算するようにしてもよい。
【０３６４】
また、ガードインターバル区間（前ガードインターバル区間、後ガードインターバル区間）の信号が有効シンボル区間の信号をＸ（Ｘは整数）サブキャリア分に相当するｆＸ分周波数シフトしたものである場合には、上記の周波数シフト補正部は、ガードインターバル区間の信号に対して送信側で施されたｆＸ分だけの周波数シフトを相殺する逆方向の周波数シフトの実施に係る補正処理（−ｆＸ分だけの周波数シフトの実施に係る処理）を行うようにすればよい。
【０３６５】
ここで、Ｘが負の値の場合には、ガードインターバル区間の信号が有効シンボル区間の信号を（−Ｘ）サブキャリ分だけ周波数が低くなるように周波数シフトしたものと言うことになる。
【０３６６】
（２）上記の実施の形態では、結合ガードインターバル区間の信号が有効シンボル区間の信号に対して１サブキャリア分高周波側にずれていることから、複素乗算部１７１、乗算部２１２、乗算部２７２は、上記の（数１６）、上記の（数１９）、上記の（数２０）を用いた演算を行うようにしている。しかしながら、ガードインターバル区間（前ガードインターバル区間、後ガードインターバル区間）の信号が有効シンボル区間の信号をＸ（Ｘは整数）サブキャリ分だけ周波数が高くなるように周波数シフトしたものである場合には、複素乗算部１７１は上記の（数１６）の代わりに下記の（数２４）に示す演算を実施し、乗算部２１２は上記の（数１９）の代わりに下記の（数２５）に示す演算を実施し、乗算部２７２は上記の（数２０）の代わりに下記の（数２６）に示す演算を実施すればよい。
【０３６７】
【数２４】
2012060051.tif 000026
【０３６８】
【数２５】
2012060051.tif 000027
【０３６９】
【数２６】
2012060051.tif 000028
【０３７０】
ここで、Ｘが負の値の場合には、ガードインターバル区間の信号が有効シンボル区間の信号を（−Ｘ）サブキャリ分だけ周波数が低くなるように周波数シフトしたものと言うことになる。
【０３７１】
なお、複素乗算部１７１は、上記の（数２４）の演算の代わりに、出力信号ＹＵ（ｎ）の複素共役の信号ＹＵ（ｎ）＊と出力信号ＹＧ（ｎ＋Ｘ）とを乗算するようにしてもよい。
【０３７２】
（３）上記の第４以降の実施の形態では、各信頼度検出部に入力される信号の最大値を２番目に大きい値で割った除算値（最大値÷２番目に大きい値）を信頼度として用いているが、これに限定されるものではなく、ＡｃｔｉｖｅキャリアとＮｕｌｌキャリアの信号品質によって配置相関が受ける影響を利用した信頼性を測定することができるものであればよく、例えば次のようなものであってもよい。各信頼度検出部に入力される信号の最大値で２番目に大きい値を割った除算値（２番目に大きい値÷最大値）を信頼度とし、値が小さい程信頼度が高いとしても良い。或いは、各信頼度検出部に入力される信号の最大値を信頼度とし、値が大きい程信頼度が高いとしても良い。或いは、各信頼度検出部に入力される信号の最大値と２番目に大きい値の差を信頼度とし、値が大きい程信頼度が高いとしても良い。
【０３７３】
（４）上記の第４以降の実施の形態では、第１検出処理、第２検出処理、第３検出処理の３つを行うとしているが、これに限定されるものではなく、これらのうちの２つだけを行うようにしてもよい。
【０３７４】
（５）上記の第１０の実施の形態で説明したＰ１直交変換部１５３Ｕの出力信号及びＰ１直交変換部１５３Ｇの出力信号の一方を選択して選択した信号に対して広帯域キャリア周波数ずれの補正を実施する機能を、第５から第９の実施の形態で説明した広帯域ｆｃ誤差検出補正部３５０，４００，４５０，５００，５５０に適用するようにしてもよい。
【０３７５】
（６）  上記の各実施の形態では、各直交変換に対して１つの直交変換部１０６又は１つのＰ１直交変換部１５３Ｕ，１５３Ｇを備えるようになっているが、これに限定されるものではなく、それらの全て又は一部を共用するようにしてもよい。
【０３７６】
（７）  上記の各実施の形態では、各Ｐ１復調部で検出した狭帯域キャリア周波数誤差量及び広帯域キャリア周波数誤差量をｆｃ補正部１０２へ出力して、ｆｃ補正部１０２は、キャリア周波数のずれを補正する際にこれらを利用している。しかしながら、これに限定されるものではなく、ｆｃ補正部１０２は、キャリア周波数のずれの補正を実施する際に、各Ｐ１復調部で検出した狭帯域キャリア周波数誤差量及び広帯域キャリア周波数誤差量の一方のみを用いるようにしてもよく、いずれも用いなくてもよい。
【０３７７】
また、狭帯域ｆｃ誤差算出部１０５や広帯域ｆｃ誤差算出部１０７によるＰ２シンボルやデータシンボルでの狭帯域キャリア周波数誤差量や広帯域キャリア周波数誤差量の算出の仕方、Ｐ１狭帯域ｆｃ誤差検出補正部１５２によるＰ１シンボルでの狭帯域キャリア周波数誤差量の検出の仕方は、特に限定されるものではなく、公知の手法を適用することができる。例えば、直交変換部１０６の出力信号に対し、Ｐ２シンボルやデータシンボル中に含まれるパイロット信号のシンボル間の位相差から狭帯域キャリア周波数誤差量の算出を行うようにしてもよい。
【０３７８】
（８）上記の各実施の形態では、ＤＶＢ−Ｔ２伝送規格に則ったＯＦＤＭ受信装置などについて説明したが、これに限定されるものではなく、例えば、ＤＶＢ−Ｔ２伝送規格におけるＦＥＦ期間を用いた伝送規格においてＰ１シンボルがＦＥＦ期間の先頭に挿入されるため、ＦＥＦ期間を用いた伝送規格に則ったＯＦＤＭ受信装置などに対しても適用可能である。
【０３７９】
（９）上記の各実施の形態では、ＤＶＢ−Ｔ２伝送フォーマットに則ったＰ１シンボルを用いて説明したが、Ｐ１シンボルに限定されるものではなく、有効シンボル区間の信号と、当該有効シンボル区間の信号に基づくガードインターバル区間の信号とを含むＯＦＤＭシンボルに対して適用可能である。
【０３８０】
例えば、ガードインターバル区間の信号は、有効シンボル区間の信号をｆＳＨ分周波数シフトした信号に限定されるものではなく、有効シンボル区間の信号を周波数シフトしていない信号であってもよく、ｆＳＨ分周波数シフト以外の周波数シフトした信号であってもよい。また、ガードインターバル区間の信号は、有効シンボル区間の信号の全体を周波数シフトした信号に限定されるものではなく、有効シンボル区間の信号の一部を周波数シフトし、残りの部分を周波数シフトしていない信号であってもよい。
【０３８１】
ガードインターバル区間は、前ガードインターバル区間と後ガードインターバル区間とに分割されたものに限定されるものではなく、前ガードインターバル区間のみからなるものであってもよく、後ガードインターバル区間のみからなるものであってもよい。なお、ガードインターバル区間は３つ以上に分割されていてもよく、例えば、有効シンボル区間を分割してその間にガードインターバル区間の分割された区間を挿入するようにしてもよい。
【０３８２】
ガードインターバル区間の時間幅は、有効シンボル区間の時間幅に一致しているものに限定されず、異なっていても良い。
【０３８３】
（１０）上記の各実施の形態では、ＦＦＴサイズが１ｋとしたが、これに限定されるものではなく、ＦＦＴサイズが１ｋ以外（例えば、２ｋ、４ｋ、８ｋなど）であってもよい。
【０３８４】
（１１）上記の各実施の形態では、差動復調はＤＢＰＳＫに対応する復調であるとしたが、これに限定されず、ＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）に対応する復調などＤＢＰＳＫ以外の差動変調に対応する復調であってもよい。また、上記の各実施の形態では、差動復調を例に挙げて説明したが、差動復調以外の復調であってもよい。
【０３８５】
（１２）上記の各実施の形態では、ＤＶＢ−Ｔ２伝送規格に則って説明したため、Ａｃｔｉｖｅキャリアの配置は図３２であるとしたが、これに限定されるものではなく、Ａｃｔｉｖｅキャリアの配置は使用する伝送規格に則ったものを利用するようにすればよい。
【０３８６】
（１３）上記の各実施の形態における受信装置の各構成要素は、集積回路であるＬＳＩで実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセサで実現してもよい。また、集積回路化の手法はＬＳＩに限られるものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。バイオ技術の適用等が可能性としてあげられる。
【０３８７】
（１４）上記の各実施の形態で示した受信装置の動作の手順の少なくとも一部を受信プログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよいし、上記プログラムを記録媒体に保存して頒布等するようにしてもよい。
【０３８８】
（１５）上記の各実施の形態で示した受信装置の受信処理の少なくとも一部を行う受信装置を実現してもよい。
【０３８９】
（１６）上記の各実施の形態を実現する受信処理の一部を行ういかなる受信装置、又は受信方法、又は受信回路、又はプログラムを組み合わせて上記の各実施の形態を実現してもよい。例えば、上記の各実施の形態で説明した受信装置の構成の一部を受信装置又は集積回路で実現し、その一部を除く構成が行う動作の手順を受信プログラムに記載し、例えばＣＰＵがメモリに記憶された当該プログラムを読み出して実行することによって実現してもよい。
【０３９０】
（１７）上記の各実施の形態などで説明した内容を適宜組み合わせるようにしてもよい。
【産業上の利用可能性】
【０３９１】
本発明は、有効シンボル区間の信号と、当該有効シンボル区間の信号に基づくガードインターバル区間の信号とから構成されたＯＦＤＭシンボルを受信するＯＦＤＭ受信装置に利用できる。
【符号の説明】
【０３９２】
３０  復調部
１０３  Ｐ１復調部
１５１  Ｐ１位置検出部
１５２  Ｐ１狭帯域ｆｃ誤差検出補正部
１５３Ｕ  Ｐ１直交変換部
１５３Ｇ  Ｐ１直交変換部
１５４  ＣＤＳテーブル生成部
１５５  Ｐ１広帯域ｆｃ誤差検出補正部
１７０  検出部
１７１  複素乗算部
１７２  配置相関部
１７３  電力算出部
１７４  最大値検出部
１８０  補正部
【図１】
2012060051.tif 000029
【図２】
2012060051.tif 000030
【図３】
2012060051.tif 000031
【図４】
2012060051.tif 000032
【図５】
2012060051.tif 000033
【図６】
2012060051.tif 000034
【図７】
2012060051.tif 000035
【図８】
2012060051.tif 000036
【図９】
2012060051.tif 000037
【図１０】
2012060051.tif 000038
【図１１】
2012060051.tif 000039
【図１２】
2012060051.tif 000040
【図１３】
2012060051.tif 000041
【図１４】
2012060051.tif 000042
【図１５】
2012060051.tif 000043
【図１６】
2012060051.tif 000044
【図１７】
2012060051.tif 000045
【図１８】
2012060051.tif 000046
【図１９】
2012060051.tif 000047
【図２０】
2012060051.tif 000048
【図２１】
2012060051.tif 000049
【図２２】
2012060051.tif 000050
【図２３】
2012060051.tif 000051
【図２４】
2012060051.tif 000052
【図２５】
2012060051.tif 000053
【図２６】
2012060051.tif 000054
【図２７】
2012060051.tif 000055
【図２８】
2012060051.tif 000056
【図２９】
2012060051.tif 000057
【図３０】
2012060051.tif 000058
【図３１】
2012060051.tif 000059
【図３２】
2012060051.tif 000060
【図３３】
2012060051.tif 000061
【図３４】
2012060051.tif 000062
【図３５】
2012060051.tif 000063
【図３６】
2012060051.tif 000064
【図３７】
2012060051.tif 000065
【図３８】
2012060051.tif 000066
【図３９】
2012060051.tif 000067
【国際調査報告】
2012060051.tif 000068
2012060051.tif 000069
2012060051.tif 000070
2012060051.tif 000071